(57)【要約】【課題】  電子アルバムを構成する画像の表示とともに、１つのアルバム内に画像データファイルがいくつ格納されているのかという情報や、アルバム内の画像がいつ撮影されたものなのかという情報など、電子アルバムに関連する情報をも表示することが可能なデジタルカメラ等を提供すること。【解決手段】  撮影した画像を管理する制御ファイルに基づいて、アルバムを構成する画像の画像数であるアルバム登録画像数を取得する手段と、制御ファイルと予め定められたアルバムを構成することが可能な最大登録画像数とに基づいて、アルバムに登録することが可能な残り枚数であるアルバム残り登録枚数を取得する手段とをさらに備え、アルバムを構成する任意の画像を表示するとともに、取得したアルバム登録画像数、または取得したアルバム残り登録枚数を切り替えて表示することを特徴とする。【選択図】      図１７
2005303453.tif 000002
【特許請求の範囲】
【請求項１】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラにおいて、
前記制御ファイルに基づいて、前記アルバムを構成する画像の画像数であるアルバム登録画像数を取得するアルバム登録画像数取得手段と、
前記制御ファイルと、予め定められた前記アルバムを構成することが可能な最大登録画像数とに基づいて、前記アルバムに登録することが可能な残り枚数であるアルバム残り登録枚数を取得するアルバム残り登録枚数取得手段と、
をさらに備え、
前記表示手段は、前記アルバムを構成する任意の画像を表示するとともに、前記アルバム登録画像数取得手段によって取得したアルバム登録画像数、または前記アルバム残り登録枚数取得手段によって取得したアルバム残り登録枚数を切り替えて表示することを特徴とするデジタルカメラ。
【請求項２】
前記アルバム登録画像数取得手段は、複数のアルバムについてのアルバム登録画像数を取得し、
前記アルバム残り登録枚数取得手段は、複数のアルバムについてのアルバム残り登録枚数を取得し、
前記表示手段は、選択されているアルバムのアルバム登録画像またはアルバム残り登録枚数の表示とともに、選択されていないアルバムのアルバム登録画像またはアルバム残り登録枚数の表示を異なる形態で表示することを特徴とする請求項１に記載のデジタルカメラ。
【請求項３】
前記制御ファイルに基づいて、前記アルバムを構成する任意の画像の撮影日を取得する撮影日取得手段をさらに備え、
前記表示手段は、前記アルバム登録画像数、前記アルバム残り登録枚数、または前記撮影日取得手段によって取得したアルバムを構成する全ての画像の撮影日に基づき求めた前記アルバムを構成する全ての画像の撮影期間を切り替えて表示することを特徴とする請求項２に記載のデジタルカメラ。
【請求項４】
前記表示装置は、前記アルバム登録画像数、前記アルバム残り登録枚数、前記撮影期間、または前記制御ファイルに基づき求めた前記アルバムを作成した日付を示すアルバム作成日を切り替えて表示することを特徴とする請求項３に記載のデジタルカメラ。
【請求項５】
前記制御ファイルに基づいて、前記アルバムを構成する全ての画像の容量を示す画像容量、前記アルバムを構成する画像の品質を示す画像品質、および前記アルバムを構成する画像の種類を示す画像種類情報を取得する画像情報取得手段をさらに備え、
前記表示手段は、前記アルバム登録画像数、前記アルバム残り登録枚数、前記撮影期間、または前記アルバム作成日、若しくは前記画像情報取得手段によって取得した画像容量、画像品質、または画像種類情報を切り替えて表示することを特徴とする請求項４に記載のデジタルカメラ。
【請求項６】
前記表示手段は、選択されているアルバムの前記アルバム登録画像数、前記アルバム残り登録枚数、前記撮影期間、前記アルバム作成日、前記画像容量、前記画像品質、または前記画像種類情報の表示とともに、選択されていないアルバムのうち前記選択されているアルバムの近傍のアルバムの前記アルバム登録画像数、前記アルバム残り登録枚数、前記撮影期間、前記アルバム作成日、前記画像容量、前記画像品質、または前記画像種類情報を表示することを特徴とする請求項２乃至５の何れか１項に記載のデジタルカメラ。
【請求項７】
前記表示手段は、前記アルバム登録画像数、前記アルバム残り登録枚数、前記撮影期間、前記アルバム作成日、前記画像容量、前記画像品質、または前記画像種類情報に関して、昇順または降順で表示することを特徴とする請求項２乃至６の何れか１項に記載のデジタルカメラ。
【請求項８】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラにおいて、
前記制御ファイルに基づいて、前記アルバムを構成する画像の画像数であるアルバム登録画像数を取得するアルバム登録画像数取得手段と、
前記制御ファイルと、予め定められた前記アルバムを構成することが可能な最大登録画像数とに基づいて、前記アルバムに登録することが可能な残り枚数であるアルバム残り登録枚数を取得するアルバム残り登録枚数取得手段と、
をさらに備え、
前記表示手段は、前記アルバムを構成する任意の画像を表示するとともに、前記アルバム登録画像数取得手段によって取得したアルバム登録画像数を表示し、選択されているアルバムについてはさらに前記アルバム残り登録枚数取得手段によって取得したアルバム残り登録枚数を表示することを特徴とするデジタルカメラ。
【請求項９】
前記表示手段は、選択されているアルバムのアルバム登録画像およびアルバム残り登録枚数の表示を、選択されていないアルバムのアルバム登録画像の表示と異なる形態で表示することを特徴とする請求項８に記載のデジタルカメラ。
【請求項１０】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラが実行するアルバム管理方法であって、
前記制御ファイルに基づいて、前記アルバムを構成する画像の画像数であるアルバム登録画像数を取得し、
前記制御ファイルと、予め定められた前記アルバムを構成することが可能な最大登録画像数とに基づいて、前記アルバムに登録することが可能な残り枚数であるアルバム残り登録枚数を取得し、
前記表示手段による表示は、前記アルバムを構成する任意の画像を表示するとともに、前記取得したアルバム登録画像数、または前記取得したアルバム残り登録枚数を切り替えて表示することを特徴とするアルバム管理方法。
【請求項１１】
前記アルバム登録画像数の取得は、複数のアルバムについてのアルバム登録画像数を取得し、
前記アルバム残り登録枚数の取得は、複数のアルバムについてのアルバム残り登録枚数を取得し、
前記表示手段による表示は、選択されているアルバムのアルバム登録画像またはアルバム残り登録枚数の表示とともに、選択されていないアルバムのアルバム登録画像またはアルバム残り登録枚数の表示を異なる形態で表示することを特徴とする請求項１０に記載のアルバム管理方法。
【請求項１２】
前記制御ファイルに基づいて、前記アルバムを構成する任意の画像の撮影日を取得し、
前記表示手段による表示は、前記アルバム登録画像数、前記アルバム残り登録枚数、または前記取得したアルバムを構成する全ての画像の撮影日に基づき求めた前記アルバムを構成する全ての画像の撮影期間を切り替えて表示することを特徴とする請求項１１に記載のアルバム管理方法。
【請求項１３】
前記表示装置による表示は、前記アルバム登録画像数、前記アルバム残り登録枚数、前記撮影期間、または前記制御ファイルに基づき求めた前記アルバムを作成した日付を示すアルバム作成日を切り替えて表示することを特徴とする請求項１２に記載のアルバム管理方法。
【請求項１４】
前記制御ファイルに基づいて、前記アルバムを構成する全ての画像の容量を示す画像容量、前記アルバムを構成する画像の品質を示す画像品質、および前記アルバムを構成する画像の種類を示す画像種類情報を取得し、
前記表示手段による表示は、前記アルバム登録画像数、前記アルバム残り登録枚数、前記撮影期間、または前記アルバム作成日、若しくは前記取得した画像容量、画像品質、または画像種類情報を切り替えて表示することを特徴とする請求項１３に記載のアルバム管理方法。
【請求項１５】
前記表示手段による表示は、選択されているアルバムの前記アルバム登録画像数、前記アルバム残り登録枚数、前記撮影期間、前記アルバム作成日、前記画像容量、前記画像品質、または前記画像種類情報の表示とともに、選択されていないアルバムのうち前記選択されているアルバムの近傍のアルバムの前記アルバム登録画像数、前記アルバム残り登録枚数、前記撮影期間、前記アルバム作成日、前記画像容量、前記画像品質、または前記画像種類情報を表示することを特徴とする請求項１１乃至１４の何れか１項に記載のアルバム管理方法。
【請求項１６】
前記表示手段による表示は、前記アルバム登録画像数、前記アルバム残り登録枚数、前記撮影期間、前記アルバム作成日、前記画像容量、前記画像品質、または前記画像種類情報に関して、昇順または降順で表示することを特徴とする請求項１１乃至１５の何れか１項に記載のアルバム管理方法。
【請求項１７】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラが実行するアルバム管理方法であって、
前記制御ファイルに基づいて、前記アルバムを構成する画像の画像数であるアルバム登録画像数を取得し、
前記制御ファイルと、予め定められた前記アルバムを構成することが可能な最大登録画像数とに基づいて、前記アルバムに登録することが可能な残り枚数であるアルバム残り登録枚数を取得し、
前記表示手段による表示は、前記アルバムを構成する任意の画像を表示するとともに、前記取得したアルバム登録画像数を表示し、選択されているアルバムについてはさらに前記取得したアルバム残り登録枚数を表示することを特徴とするアルバム管理方法。
【請求項１８】
前記表示手段による表示は、選択されているアルバムのアルバム登録画像およびアルバム残り登録枚数の表示を、選択されていないアルバムのアルバム登録画像の表示と異なる形態で表示することを特徴とする請求項１７に記載のアルバム管理方法。
【請求項１９】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラに対して、
前記制御ファイルに基づいて、前記アルバムを構成する画像の画像数であるアルバム登録画像数を取得する手順と、
前記制御ファイルと、予め定められた前記アルバムを構成することが可能な最大登録画像数とに基づいて、前記アルバムに登録することが可能な残り枚数であるアルバム残り登録枚数を取得する手順と、
前記表示手段によって、前記アルバムを構成する任意の画像を表示するとともに、前記取得したアルバム登録画像数、または前記取得したアルバム残り登録枚数を切り替えて表示する手順と、
を実行させるためのアルバム管理プログラム。
【請求項２０】
前記アルバム登録画像数を取得する手順は、複数のアルバムについてのアルバム登録画像数を取得し、
前記アルバム残り登録枚数を取得する手順は、複数のアルバムについてのアルバム残り登録枚数を取得し、
前記表示手段による表示の手順は、選択されているアルバムのアルバム登録画像またはアルバム残り登録枚数の表示とともに、選択されていないアルバムのアルバム登録画像またはアルバム残り登録枚数の表示を異なる形態で表示することを特徴とする請求項１９に記載のアルバム管理プログラム。
【請求項２１】
前記制御ファイルに基づいて、前記アルバムを構成する任意の画像の撮影日を取得する手順をさらに備え、
前記表示手段による表示の手順は、前記アルバム登録画像数、前記アルバム残り登録枚数、または前記取得したアルバムを構成する全ての画像の撮影日に基づき求めた前記アルバムを構成する全ての画像の撮影期間を切り替えて表示することを特徴とする請求項２０に記載のアルバム管理プログラム。
【請求項２２】
前記表示装置による表示の手順は、前記アルバム登録画像数、前記アルバム残り登録枚数、前記撮影期間、または前記制御ファイルに基づき求めた前記アルバムを作成した日付を示すアルバム作成日を切り替えて表示することを特徴とする請求項２１に記載のアルバム管理プログラム。
【請求項２３】
前記制御ファイルに基づいて、前記アルバムを構成する全ての画像の容量を示す画像容量、前記アルバムを構成する画像の品質を示す画像品質、および前記アルバムを構成する画像の種類を示す画像種類情報を取得する手順をさらに備え、
前記表示手段による表示の手順は、前記アルバム登録画像数、前記アルバム残り登録枚数、前記撮影期間、または前記アルバム作成日、若しくは前記取得した画像容量、画像品質、または画像種類情報を切り替えて表示することを特徴とする請求項２２に記載のアルバム管理プログラム。
【請求項２４】
前記表示手段による表示の手順は、選択されているアルバムの前記アルバム登録画像数、前記アルバム残り登録枚数、前記撮影期間、前記アルバム作成日、前記画像容量、前記画像品質、または前記画像種類情報の表示とともに、選択されていないアルバムのうち前記選択されているアルバムの近傍のアルバムの前記アルバム登録画像数、前記アルバム残り登録枚数、前記撮影期間、前記アルバム作成日、前記画像容量、前記画像品質、または前記画像種類情報を表示することを特徴とする請求項２０乃至２３の何れか１項に記載のアルバム管理プログラム。
【請求項２５】
前記表示手段による表示の手順は、前記アルバム登録画像数、前記アルバム残り登録枚数、前記撮影期間、前記アルバム作成日、前記画像容量、前記画像品質、または前記画像種類情報に関して、昇順または降順で表示することを特徴とする請求項２０乃至２４の何れか１項に記載のアルバム管理プログラム。
【請求項２６】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラに対して、
前記制御ファイルに基づいて、前記アルバムを構成する画像の画像数であるアルバム登録画像数を取得する手順と、
前記制御ファイルと、予め定められた前記アルバムを構成することが可能な最大登録画像数とに基づいて、前記アルバムに登録することが可能な残り枚数であるアルバム残り登録枚数を取得する手順と、
前記表示手段によって、前記アルバムを構成する任意の画像を表示するとともに、前記取得したアルバム登録画像数を表示し、選択されているアルバムについてはさらに前記取得したアルバム残り登録枚数を表示する手順と、
を実行させるためのアルバム管理プログラム。
【請求項２７】
前記表示手段による表示の手順は、選択されているアルバムのアルバム登録画像およびアルバム残り登録枚数の表示を、選択されていないアルバムのアルバム登録画像の表示と異なる形態で表示することを特徴とする請求項２６に記載のアルバム管理プログラム。
【発明の詳細な説明】
【技術分野】
【０００１】
本発明は、アルバム機能を有するデジタルカメラ、該デジタルカメラによる電子アルバムのアルバム管理方法及びアルバム管理プログラムに関し、特に、上記電子アルバムを構成する画像の表示とともに、上記電子アルバムに関連する情報をも表示するデジタルカメラ、アルバム管理方法、およびアルバム管理プログラムに関するものである。
【背景技術】
【０００２】
従来、デジタルスチルカメラ（以下、単に「カメラ」と称することとする）での撮影等によって大量に溜まった画像を、例えば撮影日や撮影場所、運動会や旅行などといった行事によって分類して管理する、アルバムソフトというものがある。以前は、アルバムソフトはユーザ宅等に設置されているＰＣ上で実行される形態で使用されるものであったため、アルバムソフトによって提供される機能、例えばアルバムの作成、アルバムへの画像の追加及び削除、他のアルバムへの画像の差し替え、アルバムの閲覧、などといった機能はユーザ宅等でしか行うことができなかった。その一方、画像を撮影したその場で、あるいはＰＣがその場にない旅行先等でアルバムの閲覧をしたい、等のユーザの要望に応えるべく、アルバム機能を搭載したカメラなども昨今は市販されている。
【０００３】
アルバム機能を搭載したカメラにおける画像データ管理の手法について図４９を参照しながら説明する。
図４９は、カメラにおいて画像データを格納しておくメモリカード等の記録媒体での画像データファイルの管理構造を示しており、（ａ）は画像データファイルを重複させる管理例を、また（ｂ）は画像リストファイルによる管理例を示している。
【０００４】
（ａ）に示すフォルダ構造では、画像ルートフォルダＤＣＩＭとアルバムルートフォルダＡＬＢＵＭとがルートディレクトリＲＯＯＴの直下に配置されている。
画像ルートフォルダＤＣＩＭは、画像データファイルを格納する根元のフォルダであり、そのフォルダ内の直下には、画像格納用フォルダとして１００ＯＬＹＭＰなるフォルダが格納されている。（ａ）において、この１００ＯＬＹＭＰフォルダにはカメラで撮影した画像についての画像データファイルが格納される。すなわち、同図においては００１．ＪＰＧ、００２．ＪＰＧ、００３．ＪＰＧ、…等の画像データファイルが１００ＯＬＹＭＰフォルダに格納されている。
【０００５】
一方、アルバムルートフォルダＡＬＢＵＭは、アルバムに含まれている画像データファイルを格納する根元のフォルダであり、そのフォルダ内には、ＡＬＢＵＭ１、ＡＬＢＵＭ２、…等のアルバムフォルダが格納されている。（ａ）においては、このうちのＡＬＢＵＭ１なるアルバムフォルダにＸＸＸ．ＪＰＧ、００３．ＪＰＧ、ＹＹＹ．ＪＰＧ、…等の画像データファイルが格納されていることが示されており、このフォルダ構造によって、これらの画像データファイルで表現されている画像が「ＡＬＢＵＭ１」なるアルバムに属している（含まれている）ことが表されている。
【０００６】
ところで、この（ａ）において、矢印を付している画像データファイル００３．ＪＰＧは画像ルートフォルダＤＣＩＭとアルバムルートフォルダＡＬＢＵＭとの両方に格納されている。すなわち、この記録媒体にはデータ内容が同一である画像データファイルが２つ存在しているため、記録領域を無駄に消費していることとなる。カメラにおいては、このような記録領域の無駄な消費は撮影可能枚数の減少に繋がるため余り好ましいことではない。しかも、この記録領域の消費は、同一の画像データファイルが複数のアルバムに属している場合には更に増大してしまう。
【０００７】
一方、（ｂ）に示すフォルダ構造では、画像ルートフォルダＤＣＩＭとアルバムリストファイルＡＬＢＵＭ．ＰＶＭとがルートフォルダＲＯＯＴの直下に格納されている。
（ｂ）における画像ルートフォルダＤＣＩＭも、（ａ）と同様、画像データファイルについての根元のフォルダであり、その直下には画像格納用フォルダとして１００ＯＬＹＭＰなるフォルダが格納されている。但し、（ｂ）においては、この１００ＯＬＹＭＰフォルダにはカメラで撮影した画像についての画像データファイルが格納されると共に、アルバムに含まれている画像データファイルも格納される。なお、同図においては、００１．ＪＰＧ、００２．ＪＰＧ、００３．ＪＰＧ、…、ＸＸＸ．ＪＰＧ、ＹＹＹ．ＪＰＧ、…、等の画像データファイルが１００ＯＬＹＭＰフォルダに格納されている。
【０００８】
アルバムリストファイルＡＬＢＵＭ．ＰＶＭは、画像ルートフォルダＤＣＩＭに格納されている画像データファイルとその画像データファイルが属している（その画像データファイルを含んでいる）アルバムとの関係を示している関係情報ファイルである。このアルバムリストファイルは、（ｂ）に示されているように、各アルバムに属している画像データファイルのファイル名がアルバム毎に並べられたデータ構造を有しており、このアルバム毎のファイル名の並びによって画像データファイルとアルバムとの従属関係を示している。同図に示されているＡＬＢＵＭ．ＰＶＭのデータ例によれば、例えば「ＡＬＢＵＭ１」なるアルバムに属している画像データファイルは、ＸＸＸ．ＪＰＧ、００３．ＪＰＧ、ＹＹＹ．ＪＰＧ、…等であることが示されており、画像データファイルとアルバムとの関係が同図（ａ）と同様に示されている。なお、同図に示すＡＬＢＵＭ．ＰＶＭのデータ例では、画像データファイルが格納されているフォルダを示す情報（１００ＯＬＹＭＰ）は省略している。
【０００９】
この（ｂ）に示すようなアルバムリストファイルを用いて画像データファイルとアルバムとの従属関係を表す手法を採用することにより、（ａ）のような、同一の画像データファイルを記録媒体に複数格納しておくような記録領域の無駄な消費が解消されるので、記録容量の制約が厳しいカメラの記録媒体を効率的に利用することが可能となる。
【００１０】
なお、画像リストファイルを用いてアルバムの管理を行う手法は、光ストレージの標準化団体であるＯＳＴＡ（Optical Storage Technology Association）で開発されたＭＰＶ（Music Photo Video ）規格でも提案されている。
このようなアルバムソフト、あるいはアルバム機能搭載のカメラにおいては、撮影可能な残り枚数を表示することができるようになっている。これにより、例えば残り枚数が少なくなった場合は、別のメディアを用意したり、重要度の低い画像を削除したりするなどのことができる。また、撮影を行ったカメラのメーカの型名、撮影モードをファイル名に付けたり、再生中のファイル名を表示したりすることもなされている。これにより、画像の来歴（何のカメラを使ったか）をユーザは取得でき、また撮影モードも取得できるため、残り枚数が少ない場合に何れかの画像を削除しようとしたときに、どの画像を削除すれば残り枚数がどれだけ増えそうかユーザが知る手助けとなる（例えば、特許文献１参照。）。
【特許文献１】特開２０００−９２４１７号公報
【発明の開示】
【発明が解決しようとする課題】
【００１１】
しかしながら、１つのアルバム内に画像が何枚あるのか（画像データファイルがいくつ格納されているのか）、そのアルバムにはあと何枚の画像が入るのか（いくつの画像データを格納することができるのか）という情報や、アルバム内の画像がいつ撮影されたものなのかを把握する手段が無く、アルバムの数が増えてくると画像を整理しにくいという問題点があった。
【００１２】
上記特許文献１においては、カメラメーカ名、型名、撮影モードをファイル名に入れているが、通常の再生時に、メディア容量に対する残り枚数と、ファイル名という形でしか得ることができないという問題点があった。
また、アルバム機能を持つカメラにおいては、単一の画像に関しての情報だけでなく、アルバム単位で情報を必要とすることが考えられるが、このような情報を得ることができないという問題点があった。例えば、あるアルバムに登録されている画像を他のアルバムヘも登録しようとした場合に、登録先のアルバムには後何枚画像を登録することが可能かという情報を得ることができなかったり、アルバムに空きが無く何れかのアルバムを削除したい場合に、アルバム作成日が古いのは必要がない、あるいはアルバム内に低品質の画像しか存在していないために重要度が低い、といった情報を得られなかったりという問題点があった。
【００１３】
また、画像を整理しにくいために画像を整理している途中で間違えて大切な画像やアルバムを消去してしまう危険性があるという問題点があった。
本発明は、上記従来技術の欠点に鑑みてなされたもので、電子アルバムを構成する画像の表示とともに、１つのアルバム内に画像データファイルがいくつ格納されているのか、そのアルバムにはあといくつの画像データを格納することができるのかという情報や、アルバム内の画像がいつ撮影されたものなのかという情報など、上記電子アルバムに関連する情報をも表示することが可能なデジタルカメラ、アルバム管理方法、およびアルバム管理プログラムを提供することを目的とする。
【課題を解決するための手段】
【００１４】
本発明は、上記課題を解決するため、下記のような構成を採用した。
すなわち、本発明の一態様によれば、本発明のデジタルカメラは、撮影した画像を管理する制御ファイルと、上記制御ファイルに基づいて、１つ以上の画像により構成されるアルバムを作成し管理するアルバム機能と、画像を表示する表示手段とを備えるデジタルカメラであって、上記制御ファイルに基づいて、上記アルバムを構成する画像の画像数であるアルバム登録画像数を取得するアルバム登録画像数取得手段と、上記制御ファイルと、予め定められた上記アルバムを構成することが可能な最大登録画像数とに基づいて、上記アルバムに登録することが可能な残り枚数であるアルバム残り登録枚数を取得するアルバム残り登録枚数取得手段とをさらに備え、上記表示手段が、上記アルバムを構成する任意の画像を表示するとともに、上記アルバム登録画像数取得手段によって取得したアルバム登録画像数、または上記アルバム残り登録枚数取得手段によって取得したアルバム残り登録枚数を切り替えて表示することを特徴とする。
【００１５】
また、本発明のデジタルカメラは、上記アルバム登録画像数取得手段が、複数のアルバムについてのアルバム登録画像数を取得し、上記アルバム残り登録枚数取得手段が、複数のアルバムについてのアルバム残り登録枚数を取得し、上記表示手段が、選択されているアルバムのアルバム登録画像またはアルバム残り登録枚数の表示とともに、選択されていないアルバムのアルバム登録画像またはアルバム残り登録枚数の表示を異なる形態で表示することが望ましい。
【００１６】
また、本発明のデジタルカメラは、上記制御ファイルに基づいて、上記アルバムを構成する任意の画像の撮影日を取得する撮影日取得手段をさらに備え、上記表示手段が、上記アルバム登録画像数、上記アルバム残り登録枚数、または上記撮影日取得手段によって取得したアルバムを構成する全ての画像の撮影日に基づき求めた上記アルバムを構成する全ての画像の撮影期間を切り替えて表示することが望ましい。
【００１７】
また、本発明のデジタルカメラは、上記表示装置が、上記アルバム登録画像数、上記アルバム残り登録枚数、上記撮影期間、または上記制御ファイルに基づき求めた上記アルバムを作成した日付を示すアルバム作成日を切り替えて表示することが望ましい。
また、本発明のデジタルカメラは、上記制御ファイルに基づいて、上記アルバムを構成する全ての画像の容量を示す画像容量、上記アルバムを構成する画像の品質を示す画像品質、および上記アルバムを構成する画像の種類を示す画像種類情報を取得する画像情報取得手段をさらに備え、上記表示手段が、上記アルバム登録画像数、上記アルバム残り登録枚数、上記撮影期間、または上記アルバム作成日、若しくは上記画像情報取得手段によって取得した画像容量、画像品質、または画像種類情報を切り替えて表示することが望ましい。
【００１８】
また、本発明のデジタルカメラは、上記表示手段が、選択されているアルバムの上記アルバム登録画像数、上記アルバム残り登録枚数、上記撮影期間、上記アルバム作成日、上記画像容量、上記画像品質、または上記画像種類情報の表示とともに、選択されていないアルバムのうち上記選択されているアルバムの近傍のアルバムの上記アルバム登録画像数、上記アルバム残り登録枚数、上記撮影期間、上記アルバム作成日、上記画像容量、上記画像品質、または上記画像種類情報を表示することが望ましい。
【００１９】
また、本発明のデジタルカメラは、上記表示手段が、上記アルバム登録画像数、上記アルバム残り登録枚数、上記撮影期間、上記アルバム作成日、上記画像容量、上記画像品質、または上記画像種類情報に関して、昇順または降順で表示することが望ましい。
また、本発明の一態様によれば、本発明のデジタルカメラは、撮影した画像を管理する制御ファイルと、上記制御ファイルに基づいて、１つ以上の画像により構成されるアルバムを作成し管理するアルバム機能と、画像を表示する表示手段とを備えるデジタルカメラであって、上記制御ファイルに基づいて、上記アルバムを構成する画像の画像数であるアルバム登録画像数を取得するアルバム登録画像数取得手段と、上記制御ファイルと、予め定められた上記アルバムを構成することが可能な最大登録画像数とに基づいて、上記アルバムに登録することが可能な残り枚数であるアルバム残り登録枚数を取得するアルバム残り登録枚数取得手段とをさらに備え、上記表示手段が、上記アルバムを構成する任意の画像を表示するとともに、上記アルバム登録画像数取得手段によって取得したアルバム登録画像数を表示し、選択されているアルバムについてはさらに上記アルバム残り登録枚数取得手段によって取得したアルバム残り登録枚数を表示することを特徴とする。
【００２０】
また、本発明のデジタルカメラは、上記表示手段が、選択されているアルバムのアルバム登録画像およびアルバム残り登録枚数の表示を、選択されていないアルバムのアルバム登録画像の表示と異なる形態で表示することが望ましい。
また、本発明の一態様によれば、本発明のアルバム管理方法は、撮影した画像を管理する制御ファイルと、上記制御ファイルに基づいて、１つ以上の画像により構成されるアルバムを作成し管理するアルバム機能と、画像を表示する表示手段とを備えるデジタルカメラが実行するアルバム管理方法であって、上記制御ファイルに基づいて、上記アルバムを構成する画像の画像数であるアルバム登録画像数を取得し、上記制御ファイルと、予め定められた上記アルバムを構成することが可能な最大登録画像数とに基づいて、上記アルバムに登録することが可能な残り枚数であるアルバム残り登録枚数を取得し、上記表示手段による表示が、上記アルバムを構成する任意の画像を表示するとともに、上記取得したアルバム登録画像数、または上記取得したアルバム残り登録枚数を切り替えて表示することを特徴とする。
【００２１】
また、本発明のアルバム管理方法は、上記アルバム登録画像数の取得は、複数のアルバムについてのアルバム登録画像数を取得し、上記アルバム残り登録枚数の取得は、複数のアルバムについてのアルバム残り登録枚数を取得し、上記表示手段による表示が、選択されているアルバムのアルバム登録画像またはアルバム残り登録枚数の表示とともに、選択されていないアルバムのアルバム登録画像またはアルバム残り登録枚数の表示を異なる形態で表示することが望ましい。
【００２２】
また、本発明のアルバム管理方法は、上記制御ファイルに基づいて、上記アルバムを構成する任意の画像の撮影日を取得し、上記表示手段による表示が、上記アルバム登録画像数、上記アルバム残り登録枚数、または上記取得したアルバムを構成する全ての画像の撮影日に基づき求めた上記アルバムを構成する全ての画像の撮影期間を切り替えて表示することが望ましい。
【００２３】
また、本発明のアルバム管理方法は、上記表示装置による表示が、上記アルバム登録画像数、上記アルバム残り登録枚数、上記撮影期間、または上記制御ファイルに基づき求めた上記アルバムを作成した日付を示すアルバム作成日を切り替えて表示することが望ましい。
【００２４】
また、本発明のアルバム管理方法は、上記制御ファイルに基づいて、上記アルバムを構成する全ての画像の容量を示す画像容量、上記アルバムを構成する画像の品質を示す画像品質、および上記アルバムを構成する画像の種類を示す画像種類情報を取得し、上記表示手段による表示が、上記アルバム登録画像数、上記アルバム残り登録枚数、上記撮影期間、または上記アルバム作成日、若しくは上記取得した画像容量、画像品質、または画像種類情報を切り替えて表示することが望ましい。
【００２５】
また、本発明のアルバム管理方法は、上記表示手段による表示が、選択されているアルバムの上記アルバム登録画像数、上記アルバム残り登録枚数、上記撮影期間、上記アルバム作成日、上記画像容量、上記画像品質、または上記画像種類情報の表示とともに、選択されていないアルバムのうち上記選択されているアルバムの近傍のアルバムの上記アルバム登録画像数、上記アルバム残り登録枚数、上記撮影期間、上記アルバム作成日、上記画像容量、上記画像品質、または上記画像種類情報を表示することが望ましい。
【００２６】
また、本発明のアルバム管理方法は、上記表示手段による表示が、上記アルバム登録画像数、上記アルバム残り登録枚数、上記撮影期間、上記アルバム作成日、上記画像容量、上記画像品質、または上記画像種類情報に関して、昇順または降順で表示することが望ましい。
【００２７】
また、本発明の一態様によれば、本発明のアルバム管理方法は、撮影した画像を管理する制御ファイルと、上記制御ファイルに基づいて、１つ以上の画像により構成されるアルバムを作成し管理するアルバム機能と、画像を表示する表示手段とを備えるデジタルカメラが実行するアルバム管理方法であって、上記制御ファイルに基づいて、上記アルバムを構成する画像の画像数であるアルバム登録画像数を取得し、上記制御ファイルと、予め定められた上記アルバムを構成することが可能な最大登録画像数とに基づいて、上記アルバムに登録することが可能な残り枚数であるアルバム残り登録枚数を取得し、上記表示手段による表示が、上記アルバムを構成する任意の画像を表示するとともに、上記取得したアルバム登録画像数を表示し、選択されているアルバムについてはさらに上記取得したアルバム残り登録枚数を表示することが望ましい。
【００２８】
また、本発明のアルバム管理方法は、上記表示手段による表示が、選択されているアルバムのアルバム登録画像およびアルバム残り登録枚数の表示を、選択されていないアルバムのアルバム登録画像の表示と異なる形態で表示することが望ましい。
また、本発明の一態様によれば、本発明のアルバム管理プログラムは、撮影した画像を管理する制御ファイルと、上記制御ファイルに基づいて、１つ以上の画像により構成されるアルバムを作成し管理するアルバム機能と、画像を表示する表示手段とを備えるデジタルカメラに対して、上記制御ファイルに基づいて、上記アルバムを構成する画像の画像数であるアルバム登録画像数を取得する手順と、上記制御ファイルと、予め定められた上記アルバムを構成することが可能な最大登録画像数とに基づいて、上記アルバムに登録することが可能な残り枚数であるアルバム残り登録枚数を取得する手順と、上記表示手段によって、上記アルバムを構成する任意の画像を表示するとともに、上記取得したアルバム登録画像数、または上記取得したアルバム残り登録枚数を切り替えて表示する手順とを実行させるためのアルバム管理プログラムであることを特徴とする。
【００２９】
また、本発明のアルバム管理プログラムは、上記アルバム登録画像数を取得する手順は、複数のアルバムについてのアルバム登録画像数を取得し、上記アルバム残り登録枚数を取得する手順は、複数のアルバムについてのアルバム残り登録枚数を取得し、上記表示手段による表示の手順が、選択されているアルバムのアルバム登録画像またはアルバム残り登録枚数の表示とともに、選択されていないアルバムのアルバム登録画像またはアルバム残り登録枚数の表示を異なる形態で表示することが望ましい。
【００３０】
また、本発明のアルバム管理プログラムは、上記制御ファイルに基づいて、上記アルバムを構成する任意の画像の撮影日を取得する手順をさらに備え、上記表示手段による表示の手順が、上記アルバム登録画像数、上記アルバム残り登録枚数、または上記取得したアルバムを構成する全ての画像の撮影日に基づき求めた上記アルバムを構成する全ての画像の撮影期間を切り替えて表示することが望ましい。
【００３１】
また、本発明のアルバム管理プログラムは、上記表示装置による表示の手順が、上記アルバム登録画像数、上記アルバム残り登録枚数、上記撮影期間、または上記制御ファイルに基づき求めた上記アルバムを作成した日付を示すアルバム作成日を切り替えて表示することが望ましい。
【００３２】
また、本発明のアルバム管理プログラムは、上記制御ファイルに基づいて、上記アルバムを構成する全ての画像の容量を示す画像容量、上記アルバムを構成する画像の品質を示す画像品質、および上記アルバムを構成する画像の種類を示す画像種類情報を取得する手順をさらに備え、上記表示手段による表示の手順が、上記アルバム登録画像数、上記アルバム残り登録枚数、上記撮影期間、または上記アルバム作成日、若しくは上記取得した画像容量、画像品質、または画像種類情報を切り替えて表示することが望ましい。
【００３３】
また、本発明のアルバム管理プログラムは、上記表示手段による表示の手順が、選択されているアルバムの上記アルバム登録画像数、上記アルバム残り登録枚数、上記撮影期間、上記アルバム作成日、上記画像容量、上記画像品質、または上記画像種類情報の表示とともに、選択されていないアルバムのうち上記選択されているアルバムの近傍のアルバムの上記アルバム登録画像数、上記アルバム残り登録枚数、上記撮影期間、上記アルバム作成日、上記画像容量、上記画像品質、または上記画像種類情報を表示することが望ましい。
【００３４】
また、本発明のアルバム管理プログラムは、上記表示手段による表示の手順が、上記アルバム登録画像数、上記アルバム残り登録枚数、上記撮影期間、上記アルバム作成日、上記画像容量、上記画像品質、または上記画像種類情報に関して、昇順または降順で表示することが望ましい。
【００３５】
また、本発明の一態様によれば、本発明のアルバム管理プログラムは、撮影した画像を管理する制御ファイルと、上記制御ファイルに基づいて、１つ以上の画像により構成されるアルバムを作成し管理するアルバム機能と、画像を表示する表示手段とを備えるデジタルカメラに対して、上記制御ファイルに基づいて、上記アルバムを構成する画像の画像数であるアルバム登録画像数を取得する手順と、上記制御ファイルと、予め定められた上記アルバムを構成することが可能な最大登録画像数とに基づいて、上記アルバムに登録することが可能な残り枚数であるアルバム残り登録枚数を取得する手順と、上記表示手段によって、上記アルバムを構成する任意の画像を表示するとともに、上記取得したアルバム登録画像数を表示し、選択されているアルバムについてはさらに上記取得したアルバム残り登録枚数を表示する手順とを実行させるためのアルバム管理プログラムであることを特徴とする。
【００３６】
また、本発明のアルバム管理プログラムは、上記表示手段による表示の手順が、選択されているアルバムのアルバム登録画像およびアルバム残り登録枚数の表示を、選択されていないアルバムのアルバム登録画像の表示と異なる形態で表示することが望ましい。
【発明の効果】
【００３７】
本発明によれば、１つのアルバム内に画像データファイルがいくつ格納されているのか、そのアルバムにはあといくつの画像データを格納することができるのかという情報や、アルバム内の画像がいつ撮影されたものなのかという情報など、電子アルバムに関連する情報を容易に把握することができる。
【発明を実施するための最良の形態】
【００３８】
以下、図面を参照しながら本発明の実施の形態について述べる。
まず、本発明の実施例であるアルバム機能の概要について、図１を参照しながら説明する。
図１は、アルバム機能の実施例の概要を説明するための図である。
【００３９】
図１において、カメラ１０とＰＣ４０とは、ＵＳＢ（Universal Serial Bus）バス６０を介して接続されており、各種のデータを相互に授受することができる。本実施形態においては、カメラ１０で撮影された画像を一旦ＰＣ４０に転送し、ＰＣ４０でその画像についてのアルバムの作成を行い、作成されたアルバムをＰＣ４０からカメラ１０へ転送する。従って、ユーザは、カメラ１０を携行していれば、ＰＣ４０がその場になくてもアルバムを鑑賞することができる。
【００４０】
図１について更に説明する。カメラ１０には、着脱自在なメモリカード１１が装着されており、各種のデータをメモリカード１１に記録しておくことができる。このメモリカード１１には画像ルートフォルダ１２及びアルバムリストファイル１５が格納されており、これらはいずれもメモリカード１１の記録領域におけるルートディレクトリの直下に配置されている。
【００４１】
カメラ１０で直近に撮影された画像は、画像ルートフォルダ（「ＤＣＩＭ」フォルダ）１２内の画像格納フォルダ（「１００ＯＬＹＭＰ」フォルダ）１３に、画像データファイル１４−１、１４−２、…、１４−ｎ、…（以下、「１４−ｎ」と代表して示す）として格納される。なお、後述するように、画像ルートフォルダ１２内には、カメラ１０で直近に撮影された画像のみならず、アルバムに登録されている（アルバムに含まれている）画像についての画像データファイルも特に区別されることなく格納されるので、カメラ１０で直近に撮影された画像についての画像データファイル１４−ｎについてのファイル名がアルバムリストファイル１５に示されている撮影リスト（「ＳＨＯＴ」）１６に撮影順に追記される。従って、カメラ１０で直近に撮影された画像をカメラ１０からＰＣ４０へ転送するときには、カメラ１０は撮影リスト１６に示されているファイル名である画像データファイル１４−ｎを画像ルートフォルダ１２内から探し出してＰＣ４０へ転送する処理を行う。ＰＣ４０では、カメラ１０から送られてきた画像データファイル１４−ｎを撮影画像データファイル４３−１、４３−２、…、４３−ｎ、…（以下、「４３−ｎ」と代表して示す）として撮影画像フォルダ（「ＭＹＣＡＭＥＲＡ」フォルダ）４２に格納する。撮影画像フォルダ４２はＰＣ４０が有しているＨＤＤ（Hard Disk Drive ）４１の記憶領域に設けられている。
【００４２】
アルバムリストファイル（「ＡＬＢＵＭ．ＰＶＭ」ファイル）１５は画像データファイル１４−ｎの各々と画像データファイル１４−ｎを含んでいる（画像データファイル１４−ｎが属している）アルバムとの関係（従属関係）を表しているファイルであり、各ファイルのファイル名を、そのファイルを含んでいるアルバム毎に並べたアルバムリスト１７によってその関係が表されている。このアルバムリスト１７におけるファイル名の並びにおいて、その先頭には当該アルバムの表紙に相当する表紙画像についての画像データファイルのファイル名を記すようにする。この表紙画像は前述した指定画像に相当するものである。
【００４３】
なお、前述したように、アルバムリストファイル１５には撮影リスト１６も示されている。
なお、本実施形態においては、アルバムリスト１７で管理されるアルバムの個数は予め決められており、各アルバムには、「ＡＬＢＵＭ１」、「ＡＬＢＵＭ２」、「ＡＬＢＵＭ３」、…などと名称が定められているものとする。
【００４４】
アルバムリストファイル１５はアルバムに含まれる画像を表している画像データファイル１４−ｎと共にＰＣ４０から送られてくるものである。カメラ１０は、画像データファイル１４−ｎとアルバムリストファイル１５とがＰＣ４０から送られてくると、画像データファイル１４−ｎについては画像格納フォルダ１３に格納し、アルバムリストファイル１５についてはメモリカード１１の記録領域におけるルートディレクトリの直下に上書きする。但し、このとき、撮影リスト１６は上書き前のものがそのまま保持される。また、アルバムリストファイル１５が存在しないメモリカード１１がカメラ１０に装着されたときには、カメラ１０で撮影した画像についての情報を撮影リスト１６に記す必要があるため、アルバムリストファイル１５が新たに生成されてメモリカード１１に格納される。
【００４５】
以上のように、本実施例におけるカメラ１０におけるメモリカード１１内での画像データファイルの管理構造は、図４９の（ｂ）に示した画像リストファイルによる管理構造を採用しているが、アルバムリスト１７におけるファイル名の並びの先頭には当該アルバムの表紙に相当する表紙画像についての画像データファイルのファイル名が記されるという特徴を有している。
【００４６】
なお、説明を簡単にするため、本実施形態においてはデータ内容の異なるデータファイルのファイル名が画像ルートフォルダ１２内で重複することはないものとする。従って、撮影リスト１６及びアルバムリスト１７に示されているファイル名のみで、画像ルートフォルダ１２内の画像データファイル１４−ｎを唯一つに特定することができる。ここで、例えばファイルの作成日時やファイル名に加えてファイルの格納位置等を示す情報を撮影リスト１６及びアルバムリスト１７に示すようにして、画像ルートフォルダ１２内で画像データファイル１４−ｎのファイル名が重複していても画像データファイル１４−ｎを唯一つに特定できるようにしてもよい。
【００４７】
次に図２について説明する。
図２は、図１に示したカメラ１０及びＰＣ４０のハードウェア構成を示す図であり、（ａ）はカメラ１０の構成を、また（ｂ）はＰＣ４０の構成を、それぞれ示している。
（ａ）において、撮像処理部２３、画像処理部２４、ＲＡＭ２５、メモリＩ／Ｆ２６、表示処理部２７、ＵＳＢＩ／Ｆ２９、及びＣＰＵ３０はいずれもバス３３に接続されており、ＣＰＵ３０による管理の下で相互に各種のデータの授受を行うことができる。
【００４８】
レンズ２１によって結像された被写体像は、例えばＣＣＤ（Charge Coupled Device ）である撮像部２２によって電気信号に変換されて撮像処理部２３に入力される。撮像処理部２３では、入力された電気信号を所定の大きさまで増幅した後にアナログ−デジタル変換を行い、被写体像が表されている画像を示す画像データを出力する。
【００４９】
画像処理部２４は、撮像処理部２３から出力された画像データに対して、当該画像データで表現されている画像のγ補正やエッジ強調、ホワイトバランス補正等の画像処理を施す。また、画像データをメモリカード１１に記録する場合には、当該画像データに対してデータ圧縮処理を必要に応じて行う。更に、メモリカード１１に記録されている画像データで表されている画像の再生表示を行う場合には、メモリカード１１から読み出された画像データに対してデータ伸張処理を必要に応じて行う。
【００５０】
ＲＡＭ２５は、画像処理部２４やＣＰＵ３０が各種の処理を行う際に必要に応じて作業用として使用するランダム・アクセス・メモリである。
メモリＩ／Ｆ（インタフェース）２６はメモリカード１１をバス３３に接続するインタフェースであり、ＣＰＵ３０の管理の下でメモリカード１１に対する各種のデータの読み書きを可能とする。
【００５１】
表示処理部２７は、バス３３を経て送られてきた画像データをデジタル−アナログ変換して表示部２８へ与える。
表示部２８は例えばＬＣＤ（Liquid Crystal Display）であり、表示処理部２７に入力された画像データで表されている画像を表示する。
【００５２】
ＵＳＢ（Universal Serial Bus）Ｉ／Ｆ２５は図１に示したＵＳＢバス６０とバス３３とを接続するインタフェースであり、カメラ１０とＰＣ４０との間で各種のデータの授受を可能とする。
ＣＰＵ（Central Processing Unit ）３０はこのカメラ１０全体の動作制御を行う。
【００５３】
ＲＯＭ３１はＣＰＵ３０によって実行される制御プログラムやその実行の際に必要に応じて使用される各種のデータが格納されているリード・オンリ・メモリであり、ＣＰＵ３０はこの制御プログラムを実行することによって上述した動作制御が可能となる。
操作入力部３２はカメラ１０のユーザによって操作されるスイッチ類であり、操作の内容に対応付けられているユーザからの指示を取得してＣＰＵ２９へ渡す。
【００５４】
次に（ｂ）に示すＰＣ４０の構成について説明する。
（ｂ）において、ＣＰＵ５１、ＲＯＭ５２、ＲＡＭ５３、ＨＤＤ４１、入力部５４、データ読み取り装置５５、表示部５６、及びＵＳＢＩ／Ｆ５７はいずれもバス５８に接続されており、ＣＰＵ５１による管理の下で相互に各種のデータの授受を行うことができる。
【００５５】
ＣＰＵ５１はこのＰＣ４０全体の動作制御を行う。
ＲＯＭ５２はＣＰＵ５１によって実行される基本制御プログラムやその実行の際に必要に応じて使用される各種のデータが格納されているリード・オンリ・メモリであり、ＣＰＵ５１はこの基本制御プログラムを実行することによってＰＣ４０全体の動作制御が可能となる。
【００５６】
ＲＡＭ５３はＣＰＵ５１が各種の処理を行う際に必要に応じて作業用として使用するランダム・アクセス・メモリである。
ＨＤＤ４１は磁気ディスク記憶装置であり、前述した撮影画像データファイル４３−ｎの他、ＣＰＵ５１によって実行される各種の制御プログラムやその実行の際に必要に応じて使用される各種のデータを格納することもできる。
【００５７】
入力部５４は例えばマウス等のポインティングデバイスやキーボート装置などを有して構成されており、それらに対する操作の内容に対応付けられているユーザからの指示を取得する。
データ読取装置５５は、例えばＣＤ（Compact Disc）−ＲＯＭドライブやＤＶＤ（Digital Versatile Disc）−ＲＯＭドライブであり、ＣＤ−ＲＯＭやＤＶＤ−ＲＯＭ等の記録媒体５９に記録されている各種のデータを読み取る装置である。後述する画像管理ソフトウェアは記録媒体５９に記録されて配布される。ＰＣ４０では、データ読取装置５５で記録媒体５９からこの画像管理ソフトウェアを読み取ってＨＤＤ４１に予め格納しておき、ユーザによる当該管理ソフトウェアの実行指示が入力部５４へなされると、ＣＰＵ５１はＨＤＤ４１に格納されているこの画像管理ソフトウェアを読み出して実行する。
【００５８】
なお、記録媒体５９としてはインターネット等の通信回線に接続されているプログラムサーバとして機能するコンピュータシステムが備えている記憶装置であってもよい。この場合には、画像管理ソフトウェアを表現するデータ信号で搬送波を変調して得られる伝送信号を、プログラムサーバから伝送媒体である通信回線を通じてこのコンピュータへ伝送するようにし、ＰＣ４０にはこの通信回線との接続装置を備えてこの伝送信号を受信して復調して画像管理ソフトウェアを再現することによりこの画像管理ソフトウェアをＣＰＵ５１で実行できるようになる。
【００５９】
表示部５６はＬＣＤやＣＲＴ（Cathode Ray Tube）等であり、ＣＰＵ５１の指示に応じて所定の画像を表示する。
ＵＳＢＩ／Ｆ５７は図１に示したＵＳＢバス６０とバス５８とを接続するインタフェースであり、ＰＣ４０とカメラ１０との間で各種のデータの授受を可能とする。
【００６０】
なお、ＰＣ４０の構成は、標準的なコンピュータであれば大概のものが備えている構成である。
次に、ＰＣ４０のＣＰＵ５１によって実行される画像管理ソフトウェアについて説明する。このソフトウェアは、カメラ１０によって撮影された画像のＰＣ４０への取り込み、アルバムの作成及び編集、アルバムの表紙に相当する表紙画像の作成、アルバムのカメラ１０への転送、などの機能をＰＣ４０で提供する。以下、画像管理ソフトウェアを実行することでＣＰＵ５１によって行われる各種の制御処理について説明する。
【００６１】
図３は、撮影画像取得処理の処理内容を示すフローチャートである。
この撮影画像取得処理は、カメラ１０によって撮影された画像についての画像データファイル１４−ｎをカメラ１０から受け取ってＨＤＤ４１内の撮影画像フォルダ４２に撮影画像データファイル４３−ｎとして格納させる処理である。なお、この処理は、画像管理ソフトウェアが実行されているＰＣにおいて、当該処理の開始を示す指示が入力部５４に対してなされたとき、例えば、画像管理ソフトウェアの実行によって表示部５６に表示されている画面において、「画像読み込み」を示すボタン表示をポインタでクリックさせる操作が入力部５４に対してなされたときに実行が開始される。また、ＰＣ４０とカメラ１０とがＵＳＢバス６０を介して接続されたことがＣＰＵ５１によって検出されたときに自動的に開始されるようにしてもよい。
【００６２】
まず、ステップＳ１０１において撮影画像の転送を要求するカメラ１０宛のデータをＵＳＢＩ／Ｆ５７から送出する処理が行われる。
カメラ１０では、ＵＳＢバス６０を介して伝送されるこの転送要求データを受信すると、メモリカード１１に格納されている撮影リスト１６を参照し、そこにファイル名の示されている画像データファイル１４−ｎを画像ルートフォルダ１２から読み出し、そして読み出された画像データファイル１４−ｎをＰＣ４０へ宛ててＵＳＢＩ／Ｆ２９から送出する処理がＣＰＵ３０によって行われる。そして、その後、撮影リスト１６にファイル名の示されている全ての画像データファイル１４−ｎの転送が完了したときには、撮影画像の転送の完了の通知を示すデータをＰＣ４０へ宛ててＵＳＢＩ／Ｆ２９から送出する処理がＣＰＵ３０によって行われる。
【００６３】
ステップＳ１０２では、こうしてカメラ１０からＵＳＢバス６０を介して送られてきた画像データファイル１４−ｎをＵＳＢＩ／Ｆ５７で取得する処理が行われ、続くステップＳ１０３において、取得された画像データファイル１４−ｎをＨＤＤ４１内の撮影画像フォルダ４２へ撮影画像データファイル４３−ｎとして格納する処理が行われる。
【００６４】
その後、ステップＳ１０４において、撮影画像の転送の完了の通知を示すデータがカメラ１０から送られてきたか否かを判定する処理が行われ、当該通知を受信した（判定結果がＹｅｓ）ならば、ステップＳ１０５において、撮影画像の取得完了を示す画面を表示し、この撮影画像取得処理を終了する。一方、当該通知を未だ受信していない（判定結果がＮｏ）ならばステップＳ１０２へと処理を戻して上述した処理を繰り返す。
【００６５】
以上まで処理が撮影画像取得処理である。
次に図４及び図５について説明する。同図はアルバム操作処理の処理内容をフローチャートで示したものである。この処理は、アルバム編集、アルバムの表紙に相当する表紙画像の作成、表紙画像へのタイトル文字の合成、及びアルバムのカメラ１０への転送を行うための処理である。なお、この処理は、画像管理ソフトウェアが実行されているＰＣ４０において、当該処理の開始を示す指示が入力部５４に対してなされたとき、例えば、画像管理ソフトウェアの実行によって表示部５６に表示されている画面において、ポインタでクリックさせる操作等によってアルバムを操作する指示が入力部５４に対してなされたときに実行が開始される。
【００６６】
まず、図４のステップＳ１１１において、アルバム操作画面を表示部５６に表示させる処理が行われる。
アルバム操作画面を図６に例示する。なお、本実施形態においては、このとき、ＨＤＤ４１内の撮影画像フォルダ４２に格納されている撮影画像データファイル４３−ｎが読み出され、その撮影画像データファイル４３−ｎの各々によって表されている画像（この画像を「撮影画像」と称することとする）の一覧が図６における撮影画像表示部７１に表示される。
【００６７】
ステップＳ１１２では、ユーザによってなされる、今回のアルバム操作の対象とするアルバムの選択の指示を入力部５４から取得する処理が行われる。なお、このアルバムの選択は、図６におけるアルバム選択表示７３に対するポインタクリック操作等によってなされる。
【００６８】
ステップＳ１１３では、ＨＤＤ４１に格納されているフォルダのうち、前ステップの処理によって取得された指示に係るアルバムに対応するもの（このフォルダを「アルバムフォルダ」と称することとする）を参照する処理が行われる。
ステップＳ１１４では、参照中のアルバムフォルダ内に格納されている画像データファイルを読み出し、読み出した画像データファイルで表されている画像（この画像を「アルバム画像」と称することとする）の一覧を表示部５６に表示中のアルバム操作画面に表示させる処理が行われる。図６に示す画面例では、この画像の一覧をアルバム画像表示部７２に表示させる。また、このアルバムフォルダに表紙画像の画像データファイルが含まれている場合には、この画像データファイルで表されている表紙画像を表紙画像表示部７４に表示させる。
【００６９】
ステップＳ１１５では、入力部５４に対してなされた操作に対応するユーザからの指示を取得する処理が行われる。なお、図６に示す画面例においては、この指示は、画像追加指示ボタン７５、画像削除指示ボタン７６、表紙画像選択指示ボタン７７、タイトル入力指示ボタン７８、及びアルバム転送指示ボタン７９のうちのいずれかに対するクリック操作である。
【００７０】
ステップＳ１１６では、ステップＳ１１５の処理によって取得された指示が、図６においては画像追加指示ボタン７５に対するもの、すなわち撮影画像のアルバムへの追加の指示であったか否かを判定する処理が行われ、この判定結果がＹｅｓのときにのみ、ステップＳ１１７において、指示に係る撮影画像についての画像データファイルを現在参照中のアルバムフォルダへ移動させる処理が行われる。
【００７１】
なお、図６においては、画像追加指示ボタン７５として「すべて追加」ボタンと「追加」ボタンとが設けられている。「すべて追加」ボタンは、撮影画像についての画像データファイルを現在参照中のアルバムフォルダへ移動させる指示であり、「追加」ボタンは、入力部５４に対する操作によって撮影画像のうち予め選択されていたもののみについての画像データファイルを現在参照中のアルバムフォルダへ移動させる指示である。
【００７２】
また、図６に示す画面例においては、この画像データファイルの移動に併せ、指示に係る撮影画像の表示場所をアルバム画像表示部７２の画像一覧の最後尾へと撮影画像表示部７１から移動させる。
ステップＳ１１８では、ステップＳ１１５の処理によって取得された指示が、図６においては画像削除指示ボタン７６に対するもの、すなわちアルバム画像のアルバムからの削除の指示であったか否かを判定する処理が行われ、この判定結果がＹｅｓのときにのみ、ステップＳ１１９において、指示に係るアルバム画像についての画像データファイルを現在参照中のアルバムフォルダから削除する処理が行われる。
【００７３】
なお、図６においては、画像削除指示ボタン７５のクリックは、入力部５４に対する操作によってアルバム画像のうち予め選択されていたもののみについての画像データファイルを現在参照中のアルバムフォルダから削除する指示となる。
また、図６に示す画面例においては、この画像データファイルの削除に併せ、指示に係るアルバム画像の表示をアルバム画像表示部７２の画像一覧から消去する。
【００７４】
ステップＳ１２０では、ステップＳ１１５の処理によって取得された指示が表紙画像の作成に関するもの、図６においては表紙画像選択指示ボタン７７若しくはタイトル入力指示ボタン７８に対するものであったか否かを判定する処理が行われ、この判定結果がＹｅｓのときにのみ、ステップＳ１２１において、表紙画像処理が行われる。なお、この表紙画像作成処理の詳細は後述する。
【００７５】
処理は図５へ進み、ステップＳ１２２では、図４のステップＳ１１５の処理によって取得された指示が、図６においてはアルバム転送指示ボタン７９に対するもの、すなわちアルバムのカメラ１０への転送の指示であったか否かを判定する処理が行われ、この判定結果がＹｅｓのときにのみ、ステップＳ１２３において、アルバム転送処理が行われる。なお、このアルバム転送処理の詳細も後述する。
【００７６】
ステップＳ１２４では、図４のステップＳ１１５の処理によって取得された指示が、このアルバム操作処理の終了を示す指示であったか否かを判定する処理が行われる。そして、この判定結果がＹｅｓのときは、ステップＳ１２５において、表示部５６に表示させていたアルバム操作画面を閉じる処理が行われ、その後はこのアルバム操作処理が終了する。一方、このステップＳ１２４の判定結果がＮｏのときには図４のステップＳ１１５へ処理を戻して上述した処理を繰り返す。
【００７７】
以上までの処理がアルバム操作処理である。
次に、上述したアルバム操作処理におけるステップＳ１２１（図４）の処理である表紙画像作成処理について説明する。表紙画像作成処理の処理内容を図７にフローチャートで示す。
【００７８】
まず、ステップＳ１４１において、前述したアルバム操作処理におけるステップＳ１１５の処理によって取得された指示が、図６においてはタイトル入力指示ボタン７８に対するもの、すなわち既に設定済みである表紙画像に対するタイトルの入力の指示であったか否かを判定する処理が行われ、この判定結果がＹｅｓならばステップＳ１４９のタイトル合成処理に進む。このタイトル合成処理の詳細は後述する。一方、この判定結果がＮｏ、すなわち図６においては表紙画像選択指示ボタン７７に対するものであったならば、ステップＳ１４２に処理を進める。
【００７９】
ステップＳ１４２では表紙画像作成画面を開く（表示部５６に表示させる）処理が行われる。表紙画像作成画面を図８に例示する。
ステップＳ１４３では、現在参照中のアルバムフォルダ内の画像データファイルを全て読み出す処理が行われ、続くステップＳ１４４において、読み出された画像データファイルの各々で表されているアルバム画像の一覧を表示部５６で表示中の表紙画像作成画面に表示させる処理か行われる。図８の画面例においては、このアルバム画像の一覧は表紙画像候補表示部８１に表示される。ここで、これらのアルバム画像は表紙画像の候補であり、ユーザがこの中から１枚の画像を仮に選択する指示に対応する操作を入力部５４に対して行うと、その画像が表紙画像表示部８２に表示される。
【００８０】
ステップＳ１４５では、参照するフォルダを変更して表紙画像の候補の画像を変更する指示を取得したか否か、図８の画面例ではフォルダ設定部８３に対するクリック等の操作によって参照するフォルダを変更する指示を取得したか否かを判定する処理が行われる。そして、この判定結果がＹｅｓならば、ステップＳ１４６において、取得された指示に係るフォルダを参照する処理が行われた後、処理をステップＳ１４３へ戻して上述した処理を繰り返す。この処理は、アルバム操作の対象であるアルバムの表紙画像を、そのアルバムに含まれているアルバム画像以外のものから選択することを可能とするものである。一方、ステップＳ１４５の判定処理の結果かＮｏならばステップＳ１４７に処理を進める。
【００８１】
ステップＳ１４７では、表紙画像を決定する指示を取得したか否か、図８の画面例では決定ボタン８４に対する操作がなされたか否かを判定する処理が行われる。そして、この判定結果がＹｅｓならば、ステップＳ１４８において、決定指示に係る画像についての画像データファイルのファイル名を表紙画像についての画像データファイル（表紙画像データファイル）として読み出してＲＡＭ５３の所定の領域へ一時的に格納する処理が行われ、続くステップＳ１４９においてタイトル合成処理が行われ、その後はステップＳ１５１に処理を進める。なお、図６に示したアルバム操作画面の画面例においては、このときまで表示画像表示部７４に表示していた画像がこの決定指示に係る表紙画像に入れ替えられる。
【００８２】
一方、ステップＳ１４７の判定処理の結果がＮｏのときにはステップＳ１５０に処理を進める。
ステップＳ１５０では、表紙画像作成処理をキャンセルする指示を取得したか否か、図８の画面例ではキャンセルボタン８５に対する操作がなされたか否かを判定する処理が行われる。そして、この判定結果がＹｅｓならばステップＳ１５１に処理を進め、この判定結果がＮｏならばステップＳ１４５へ処理を戻して上述した処理を繰り返す。
【００８３】
ステップＳ１５１では、表示部５６に表示中の表紙画像作成画面を閉じる（消去する）処理が行われる。その後は表紙画像作成処理を終了して図４のアルバム操作処理へと処理を戻す。
以上までの処理が表紙画像作成処理である。
【００８４】
次に、上述した表紙画像作成処理におけるステップＳ１４９の処理であるタイトル合成処理について説明する。タイトル合成処理の処理内容を図９にフローチャートで示す。
まず、ステップＳ１６１において、タイトル入力画面を開く（表示部５６に表示させる）処理が行われる。タイトル入力画面を図１０に例示する。
【００８５】
ステップＳ１６２では、ユーザによって入力部５４に対してなされた操作に対応する文字列の入力内容を取得する処理が行われる。図１０に示す画面例では、このときに取得された文字列の内容が入力テキスト表示部８６に表示される。
ステップＳ１６３では、文字列の入力を終了し、タイトルとする文字列を決定させる指示を取得したか否か、図１０の画面例では決定ボタン８７に対する操作がなされたか否かを判定する処理が行われる。そして、この判定結果がＹｅｓならばステップＳ１６５に処理を進める。一方、この判定結果がＮｏならば、ステップＳ１６４において、タイトル合成処理をキャンセルする指示を取得したか否か、図１０の画面例ではキャンセルボタン８８に対する操作がなされたか否かを判定する処理が行われる。そして、この判定結果がＹｅｓならばステップＳ１６６に処理を進め、この判定結果がＮｏならばステップＳ１６２へ処理を戻して上述した処理を繰り返す。
【００８６】
ステップＳ１６５では、ステップＳ１６２の処理によって取得された文字列を表している文字列像を生成し、前述した表紙画像作成処理（図７）におけるステップＳ１４７の処理によってＲＡＭ５３の所定の領域に格納されている表紙画像データファイルで表されている表紙画像にこの生成された文字列像を重畳合成し、得られた合成画像についての画像データファイルを表紙画像データファイルとして改めてＲＡＭ５３の当該領域に格納する処理が行われる。なお、図１０の画面例では、この文字列像として、文字スタイル設定部８９で設定された形状・大きさ・色のものが生成される。
【００８７】
ステップＳ１６６では、ＲＡＭ５３の所定の領域に格納されている表紙画像データファイルに所定のファイル名を付与する処理が行われ、続くステップＳ１６７では、この表紙画像データファイルを現在参照中のアルバムフォルダに追加して格納する処理が行われる。なお、図６に示したアルバム操作画面の画面例においては、このときまで表示画像表示部７４に表示していた画像がこの文字合成がされた表示画像に入れ替えられる。
【００８８】
ステップＳ１６８では、表示部５６に表示中のタイトル入力画面を閉じる（消去する）処理が行われる。その後はタイトル合成処理を終了して図７の表紙画像作成処理へと処理を戻す。
以上までの処理がタイトル合成処理である。このようにして表紙画像にタイトルを表す文字列の像を合成することにより、漢字等の文字のフォントデータを有していないカメラ１０であってもアルバムのタイトルの表示が可能となり、そのタイトルを表す文字も多様なスタイルのものとして表示することができる。
【００８９】
次に、前述したアルバム操作処理におけるステップＳ１２３（図５）の処理であるアルバム転送処理について説明する。アルバム転送処理の処理内容を図１１にフローチャートで示す。
まず、ステップＳ１７１において、現在参照中のアルバムフォルダに対応するアルバムの名称を取得する処理が行われる。
【００９０】
ステップＳ１７２では、カメラ１０のメモリカード１１に格納されているアルバムリストファイル１５の送出の要求を示すカメラ１０宛のデータをＵＳＢＩ／Ｆ５７から送出する処理が行われる。この送出要求を受け取ったカメラ１０において行われる処理の詳細は後述する。
【００９１】
ステップＳ１７３では、上述した要求に応じてカメラ１０から送られてくるアルバムリストファイル１５をＵＳＢＩ／Ｆ５７に受信させて取得する処理が行われる。
なお、詳しくは後述するが、このとき、アルバムリストファイル１５が存在しない旨を通知するデータがカメラ１０から送られてくることもあるが、このデータが送られてきた場合には、この通知を受信させて取得する処理が行われる。そこで、ステップＳ１７４において、カメラ１０にアルバムリストファイル１５が存在していたか否かを判定する処理が行われ、存在していなかったとき（判定結果がＮｏ）のときにのみ、ステップＳ１７５において、アルバムリストファイル１５を新規作成する処理が行われる。
【００９２】
ステップＳ１７６では、アルバムリストファイル１５内のアルバムリスト１７におけるステップＳ１７１の処理で取得したアルバム名のアルバムについてのリストを参照し、そのリストに示されている画像データファイルのファイル名の並びの末尾に、現在参照中のＨＤＤ４１内のアルバムフォルダに含まれている画像データファイルのファイル名を１つずつ追記する処理が行われる。
【００９３】
ステップＳ１７７では、現在参照中のアルバムフォルダに表紙画像の画像データファイルが格納されているか否かを判定する処理が行われ、この判定結果がＹｅｓならばステップＳ１７８に、ＮｏならばステップＳ１８１に、それぞれ処理を進める。
ステップＳ１７８では、タイトル画像の転送指示を取得していたか否かを判定する処理が行われ、この判定結果がＹｅｓならばステップＳ１８０に、ＮｏならばステップＳ１７９に、それぞれ処理を進める。なお、このタイトル画像の転送指示は、図６に示したアルバム操作画面の画面例では、アルバム表紙画像作成チェックボックス８０にチェックマークが付されていたか否かによって判定する。
【００９４】
ステップＳ１７９では、現在参照中のアルバムフォルダに含まれている画像データファイルのうち、表紙画像についてのものを除いた全てをカメラ１０へ宛ててＵＳＢＩ／Ｆ５７から送出する処理が行われ、その後はステップＳ１８２に処理を進める。
ステップＳ１８０では、ステップＳ１７６の処理によってファイル名の追記を行ったアルバムのリストにおいて、現在参照中のアルバムフォルダに格納されている表紙画像の画像データファイルのファイル名をそのリストの先頭に移動して挿入する処理が行われる。この処理により、表紙画像の画像データファイルのファイル名がアルバムリスト１７におけるそのアルバムのリストの先頭に示されることとなる。
【００９５】
なお、このステップＳ１８０の処理の内容を変更し、現在参照中のアルバムフォルダに格納されている表紙画像の画像データファイルのファイル名をそのリストの末尾に移動して挿入する処理とすることにより、アルバム画像の逐次再生時に表紙画像をその最後に再生表示することができるようになる。これは、前述した処理によって作成した表紙画像をあたかもアルバムの裏表紙であるかのような感覚で扱うことを可能とするものである。
【００９６】
ステップＳ１８１では、現在参照中のアルバムフォルダに含まれている画像データファイルの全てをカメラ１０へ宛ててＵＳＢＩ／Ｆ５７から送出する処理が行われる。
ステップＳ１８２では、ファイル名のアルバムリスト１７への追記がされたアルバムリストファイル１５をカメラ１０へ宛ててＵＳＢＩ／Ｆ５７から送出する処理が行われ、その後はこのアルバム転送処理を終了して図５のアルバム操作処理へと処理を戻す。
【００９７】
以上までの処理がアルバム転送処理である。
次に、カメラ１０のＣＰＵ３０によって行われる制御処理について説明する。これらの処理は、いずれもＲＯＭ３１に格納されている制御プログラムをＣＰＵ３０が実行することによって実現される。
【００９８】
まず図１２にフローチャートで示すアルバム受信処理について説明する。この処理は、ＰＣ４０から送られてくるアルバムに関するデータをカメラ１０で受信するための処理であり、前述したアルバム転送処理がＰＣ４０で実行されてアルバムリストファイル１５の送出の要求を示すデータをＵＳＢＩ／Ｆ２９が受信したことがＣＰＵ３０によって検知されると開始される。
【００９９】
まず、ステップＳ２０１では、メモリカード１１を探索してアルバムリストファイル１５が格納されているか否かを判定する処理が行われ、格納されているとき（判定結果がＹｅｓのとき）にはステップＳ２０２においてアルバムリストファイル１５を読み出してＰＣ４０へ宛ててＵＳＢＩ／Ｆ２９から送出する処理が行われ、格納されていなかったとき（判定結果がＮｏのとき）にはアルバムリストファイル１５が存在しない旨を通知するデータをＰＣ４０へ宛ててＵＳＢＩ／Ｆ２９から送出する処理が行われる。このステップＳ２０２若しくはステップＳ２０３の処理によって送出したデータは、前述したアルバム転送処理におけるステップＳ１７３の処理を実行しているＰＣ４０によって受信される。
【０１００】
ステップＳ２０４では、ステップＳ２０２若しくはステップＳ２０３の処理によって送出したデータに応じてＰＣ４０から送られてくるデータをＵＳＢＩ／Ｆ２９に受信させて取得する処理が行われる。
ステップＳ２０５では、前ステップの処理によって取得されたデータが画像データファイルであるか否かを判定する処理が行われる。そして、この判定結果がＹｅｓのときは、ステップＳ２０６において、取得した画像データファイルをメモリカード１１の画像ルートフォルダ１２内の画像格納フォルダ１３に格納する処理が行われ、その後はステップＳ２０４へと処理を戻して上述した処理が繰り返す。
【０１０１】
一方、ステップＳ２０５の判定結果がＮｏのときは、ステップＳ２０７において、ステップＳ２０４の処理によって取得されたデータがアルバムリストファイル１５であるか否かを判定する処理が行われる。前述したアルバム転送処理を実行しているＰＣ４０では、図１１のステップＳ１７９及びステップＳ１８１並びにステップＳ１８２の処理によって、転送対象である画像データファイルの送出を全て終えてからアルバムリストファイル１５が送出されるので、ステップＳ２０７の判定結果がＹｅｓの場合にはＰＣ４０で実行されているアルバム転送処理は終了したとみなされ、ステップＳ２０８に処理を進める。一方、ステップＳ２０７の判定結果がＮｏの場合にはステップＳ２０４へと処理を戻して上述した処理を繰り返す。
【０１０２】
ステップＳ２０８では、ステップＳ２０４の処理によって取得されたアルバムリストファイル１５をメモリカードのルートディレクトリの直下に上書きする処理が行われる。但し、このとき、撮影リスト１６は上書き前のアルバムリストファイル１５に示されていたものがそのまま保持される。その後はこのアルバム受信処理が終了する。
【０１０３】
以上までの処理がアルバム受信処理である。
次に図１３に処理内容をフローチャートで示しているアルバム再生処理について説明する。この処理は、ＰＣ４０から送られてきたアルバムをカメラ１０で閲覧するための処理である。
【０１０４】
このアルバム再生処理は、ユーザが操作入力部３２を操作して図１４の（ａ）に例示するようなアルバム操作に関する機能選択画面を表示部２８に表示させていたときに、操作入力部３２に対する更なる操作によって「アルバム再生」なる機能が選択されたときに開始される。
【０１０５】
まず、ステップＳ２１１においてアルバム選択処理が行われる。この処理はカメラ１０が保有している複数のアルバムのうちから閲覧するものを選択するための処理であり、その詳細は後述する。
ステップＳ２１２では、メモリカード１１に格納されているアルバムリストファイル１５に示されているアルバムリスト１７が参照され、ステップＳ２１１の処理によって選択されたアルバムに対応付けられて並べられているファイル名のうちの先頭のものを取得する処理が行われる。
【０１０６】
ステップＳ２１３では、直前に実行された処理によって取得されたファイル名である画像データファイル１４−ｎをメモリカード１１の画像ルートフォルダ１２内から探し出して取得する処理が行われる。
ステップＳ２１４では、画像処理部２４及び表示処理部２７に指示を与え、前ステップで取得されたファイルで表されている画像を表示部２８に表示させる処理が行われる。
【０１０７】
ステップＳ２１５では、ユーザによる操作入力部３２に対する操作によってなされる、表示部２８の表示画像を現在表示中のものからその前後のものへと変更させる指示を取得したか否かを判定する処理が行われ、この指示を取得した（判定結果がＹｅｓ）ならばステップＳ２１６に、この指示を取得していない（判定結果がＮｏ）ならばステップＳ２１７に、それぞれ処理を進める。
【０１０８】
ステップＳ２１６では、メモリカード１１に格納されているアルバムリストファイル１５に示されているアルバムリスト１７が参照され、ステップＳ２１１の処理によって選択されたアルバムに対応付けられて並べられているファイル名のうち、ステップＳ２１５の処理によって取得したと判定された指示に係る順番のものを取得する処理が行われ、その後はステップＳ２１３へと処理を戻して上述した処理を繰り返す。
【０１０９】
ステップＳ２１７では、ユーザによる操作入力部３２に対する操作によってなされる、アルバム再生の終了の指示を取得したか否かを判定する処理が行われ、この指示を取得した（判定結果がＹｅｓ）ならば、ステップＳ２１８において図１４（ａ）に示すようなアルバム操作機能選択画面を再度表示させる処理が行われ、その後はこのアルバム再生処理を終了する。一方、ステップＳ２１７の判定結果がＮｏならばステップＳ２１５へと処理を戻して上述した処理を繰り返す。
【０１１０】
以上までの処理がアルバム再生処理である。
次に、上述したアルバム再生処理におけるステップＳ２１１の処理であるアルバム選択処理について説明する。アルバム選択処理の処理内容を図１５にフローチャートで示す。
まず、ステップＳ２２１において、アルバムリストファイル１５をメモリカード１１から読み出してアルバムリスト１７を参照する処理が行われる。
【０１１１】
ステップＳ２２２では、ユーザによる操作入力部３２に対する操作によってなされる、アルバムの表紙画像の表示部２８への表示方法についての指示の内容がどのようなものであるかを判定する処理が行われる。ここで、当該指示の内容が、図１４（ｂ）に例示するような、複数のアルバムの表紙画像を一覧表示（インデックス表示）させる指示であればステップＳ２２３に処理を進め、一方、当該指示の内容が、図１４（ｃ）に例示するような、アルバムの表紙画像を１枚ずつ表示（１コマ表示）させる指示であればステップＳ２２８に処理を進める。
【０１１２】
ステップＳ２２３では、アルバムリスト１７における各アルバムについての画像データファイル１４−ｎのファイル名の並びのうちの先頭のものを取得する処理が行われる。なお、この先頭のファイル名は、前述したアルバム転送処理におけるステップＳ１８０（図１１）の処理によって、各アルバムについての表紙画像の画像データファイル１４−ｎについてのものとなっている。
【０１１３】
ステップＳ２２４では、前ステップの処理によって取得されたファイル名である画像データファイル１４−ｎを、メモリカード１１の画像ルートフォルダ１２内から各々探し出して取得する処理が行われる。
ステップＳ２２５では、画像処理部２４及び表示処理部２７に指示を与え、前ステップの処理によって取得された画像データファイル１４−ｎで各々表されている表紙画像を表示部２８に表示させる処理が行われる。
【０１１４】
ステップＳ２２６では、ユーザによる操作入力部３２に対する操作によって、表示部２８に一覧表示されている表紙画像のうちの１つを選択する指示がなされたか否かを判定する処理が行われ、この指示がなされるまで（判定結果がＹｅｓとなるまで）このステップＳ２２６の処理を繰り返す。
【０１１５】
ステップＳ２２７では、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了して図１３のアルバム再生処理へと処理を戻す。一方、この決定指示がなされていないとき（判定結果がＮｏのとき）はステップＳ２２６へ処理を戻して上述した処理を繰り返す。
【０１１６】
ステップＳ２２８では、アルバムリスト１７におけるアルバム名「ＡＬＢＵＭ１」についての画像データファイル１４−ｎのファイル名の並びのうちの先頭のもの、すなわちこのアルバムについての表紙画像である画像データファイル１４−ｎのファイル名を取得する処理が行われる。
【０１１７】
ステップＳ２２９では、直前に実行された処理によって取得されたファイル名である画像データファイル１４−ｎを、メモリカード１１の画像ルートフォルダ１２内から探し出して取得する処理が行われる。
ステップＳ２３０では、画像処理部２４及び表示処理部２７に指示を与え、前ステップの処理によって取得された画像データファイル１４−ｎで表されている表紙画像を表示部２８に表示させる処理が行われる。
【０１１８】
ステップＳ２３１では、ユーザによる操作入力部３２に対する操作によって、表示部１８に代表画像を表示中であるアルバムとは異なる他のアルバムを選択する指示を取得したか否かを判定する処理が行われ、この指示を取得したとき（判定結果がＹｅｓとなったとき）は、ステップＳ２３２においてアルバムリスト１７における当該指示に係るアルバム名についての画像データファイル１４−ｎのファイル名の並びのうちの先頭のものを取得する処理が行われ、その後はステップＳ２２９へ処理を戻して上述した処理を繰り返す。
【０１１９】
一方、ステップＳ２３１においてそのような指示を取得していない（判定結果がＮｏのとき）は、ステップＳ２３３において、ユーザによる操作入力部３２に対する操作によって、指示されている表紙画像のうちの１つの選択を決定させる指示を取得したか否かを判定する処理が行われる。ここで、この決定指示がなされたとき（判定結果がＹｅｓとなったとき）はこのアルバム選択処理を終了して図１３のアルバム再生処理へと処理を戻す。一方、この決定指示がなされていないとき（判定結果がＮｏのとき）はステップＳ２３１へ処理を戻して上述した処理を繰り返す。
【０１２０】
以上までの処理がアルバム選択処理である。
以上までに説明した各種の処理がＰＣ４１のＣＰＵ５１とカメラ１０のＣＰＵ３０とで各々行われることにより、メモリカード１１の記録量の消費を抑制しつつアルバムとそのアルバムについての表紙画像との関係を管理することができるようになる。
【０１２１】
なお、上述した実施形態においては、アルバムの作成・編集をＰＣ４０上で行わせるようにしていたが、図４、図５、図７、図９に示した各処理をカメラ１０のＣＰＵ３０で行わせるようにすることにより、アルバムの作成・編集をカメラ１０上で行わせるようにすることもできる。また、上述した実施形態においては、代表画像の表示を含むアルバムの再生をカメラ１０で行うようにしていたが、図１１及び図１２に示した各処理をＰＣ４１のＣＰＵ５１で行わせるようにすることにより、代表画像の表示を含むアルバムの再生をＰＣ４０で行うようにすることもできる。
【０１２２】
次に、図１６乃至図４８を用いて、上述のアルバム選択処理の変形例について説明する。
図１６および図１７は、複数のアルバムの表紙画像を一覧表示させた際に、アルバムに登録されている画像数とさらに登録することが可能な画像数とを切り替えて表示する処理の流れを示すフローチャートである。
【０１２３】
図１６および図１７に示したフローチャートにおいて、ステップＳ２２１、ステップＳ２２２、ステップＳ２２４、ステップＳ２２５、ステップＳ２２８乃至ステップＳ２３３までのステップは、図１５を用いて説明したアルバム再生処理の各ステップと同様であるので説明を省略し、本変形例で新たに加わるステップＳ２４１、ステップＳ２４２乃至ステップＳ２５５のステップを中心に説明する。
【０１２４】
まず、図１５を用いて説明したステップＳ２２２で、アルバムの表紙画像の表示部２８への表示方法についての指示の内容がどのようなものであるかを判定し、その指示の内容が、図１４（ｂ）に例示するような、複数のアルバムの表紙画像を一覧表示（インデックス表示）させる指示であれば、図１６のステップＳ２４１において、各アルバムに関する情報の１つであるアルバムに登録されている画像の枚数を示す「アルバム内枚数表示」、および「アルバム内枚数表示」以外の各アルバムの情報に関する情報を表示するように切り替えるための「アイコン」を、画面の所定の位置（アルバム情報表示内容表示部：後に説明する図２２参照）に表示する。
【０１２５】
次に、ステップＳ２２３乃至ステップＳ２２５の処理を行った後、図１７のステップＳ２４２において、アルバムリスト１７内に登録されている各々のアルバムの番号を取得する（変数Ｘに代入しておく）。さらに、ステップステップＳ２４３において、アルバムリスト１７内に登録されている各々のアルバム画像数を取得する（変数Ａに代入しておく）とともに、ステップＳ２４４において、各々のアルバムに登録することが可能な画像の枚数である最大登録枚数を取得する（変数Ｂに代入しておく）。ここでは全アルバムに渡って予め定められている値として１００枚とする。すなわち、Ｂ＝１００である。
【０１２６】
そして、ステップＳ２４５において、ステップＳ２２５で一覧表示されている画面の所定の位置に、例えば、「Ａ／Ｂ」というような表記で表示するとともに、例えばその横に、アルバム番号Ｘを表示する。さらに、ステップＳ２４６において、先頭のアルバムに対応する「Ａ／Ｂ」という表記の部分を、選択中であることを示すため、例えば色を変えて表示する。
【０１２７】
次に、ステップＳ２４７において、ユーザによる操作入力部３２に対する操作によって、表示部２８に一覧表示されている表紙画像のうちの１つを選択する指示がなされたか否かを判定する処理が行われ、選択する指示がなされた場合（判定結果がＹｅｓ）は、ステップＳ２４８において、例えば、その選択指示が現在選択されているアルバムの前後のアルバムの選択指示であるか否かを判定する。
【０１２８】
ステップＳ２４８の判定結果がＹｅｓであれば、ステップＳ２４９において、例えばステップＳ２４８での指示がアルバムを順に指示するような方法による指示の場合は指示の方向にあわせて、画面の所定の位置（アルバム情報表記部：後に説明する図２２参照）で色を変えて表示している部分を元の色に戻し、指示方向に１つ移動したアルバム情報表記部の表記の色を変える。
【０１２９】
次に、ステップＳ２４９に続いて、あるいはステップＳ２４７、ステップＳ２４８で判定結果がＮｏであった場合、ステップＳ２５０において、例えば、アルバムを構成する画像の画像数であるアルバム登録画像数、アルバムに登録することが可能な残り枚数であるアルバム残り登録枚数、アルバムを構成する全ての画像の撮影期間、アルバムを作成した日付、アルバムを構成する全ての画像の容量、アルバムを構成する画像の品質、あるいはアルバムを構成する画像の種類を示す情報等のアルバム情報表示内容の切り替えの指示を取得したか否かについて判定する。
【０１３０】
そして、判定結果がＹｅｓであれば、ステップＳ２５１において、図１８のフローチャート用いて後述する「アルバム情報表示内容切り替え処理」を実行する。
ステップＳ２５０での判定結果がＮｏの場合、ステップＳ２５１の処理の後、ステップＳ２５２において、ソートの指示を取得したか否かの判定をする。ここで、ソートとは、アルバム登録画像数、アルバム残り登録枚数、撮影期間、アルバム作成日、画像容量、画像品質、または画像種類情報等のアルバム情報に関して、昇順または降順に並び替えることをいう。
【０１３１】
次に、ステップＳ２５２での判定結果がＹｅｓの場合は、ステップＳ２５３において、ソート指示に従い、取得したアルバム情報を昇順または降順にソートし、ステップＳ２５４において、ソート結果に従った順番で、アルバム情報表記部内の所定の位置に、各々のアルバム情報を表示する。なお、ソートした結果の表示例を、図３８を用いて後述する。
【０１３２】
そして、ステップＳ２５２での判定結果がＮｏの場合、ステップＳ２５４の処理の後、ステップ２５５において、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了する。一方、この決定指示がなされていないとき（判定結果がＮｏのとき）は、ステップＳ２４７へ処理を戻して上述した処理を繰り返す。
【０１３３】
図１８は、図１７のステップ２５１で実行される「アルバム情報表示内容切り替え処理」の流れを示すフローチャートである。
まず、ステップＳ２６１において、例えば、図１９に示したような切り替え指示の方向に合わせて、アルバム情報表示内容表示部の表記を切り替え、「切り替えを示すアイコン」を所定の位置に表示する。
【０１３４】
図１９は、アルバム情報の表示内容の切り替わりの例を示す図である。
図１９において、「アルバム内枚数１」「アルバム内枚数２」「アルバム内残り枚数１」「アルバム内残り枚数２」「アルバム内作成日１」「アルバム内作成日２」「アルバム内撮影期間１」「アルバム内撮影期間２」「アルバム内フォルダ１」「アルバム内フォルダ２」「アルバム内容量１」「アルバム内容量２」「アルバム内ＳＨＱ枚数」「アルバム内ＨＱ枚数」「アルバム内ＳＱ枚数」「アルバム内画像品質」「アルバム内全情報」が順次切り替わることを示している。ここで、例えば、「アルバム内枚数１」は、図２２を用いて後述するように、全アルバムについてアルバム情報を表示するモードのことであり、「アルバム内枚数２」は、図２３を用いて後述するように、一部のアルバムについてアルバム情報を表示するモードのことである。
【０１３５】
図１８の説明に戻り、ステップＳ２６２において、図２０のフローチャートを用いて後述する「各々のアルバムの情報取得・表示処理」を実行する。
そして、ステップＳ２６３において、選択中のアルバムについて、選択中であることを示すため、色を変える。
【０１３６】
図２０は、図１８のステップＳ２６２で実行される「各々のアルバムの情報取得・表示処理」の流れを示すフローチャートである。
まず、ステップＳ２７１において、選択されたアルバム情報の表示内容が、アルバム内枚数、アルバム内残り枚数、アルバム内作成日、アルバム内撮影期間、アルバム内フォルダ、アルバム内容量、アルバム内ＳＨＱ枚数、アルバム内ＨＱ枚数、アルバム内ＳＱ枚数、アルバム内画像品質、アルバム内全情報の何れであるかを判定する。
【０１３７】
ステップＳ２７１で選択されたアルバム情報の表示内容が、アルバム内枚数であれば、ステップＳ２７２の「アルバム内枚数表示処理」を実行し、アルバム内残り枚数であれば、ステップＳ２７３の「アルバム内残り枚数表示処理」を実行し、アルバム内作成日であれば、ステップＳ２７４の「アルバム内作成日表示処理」を実行し、アルバム内撮影期間であれば、ステップＳ２７５の「アルバム内撮影期間表示処理」を実行し、アルバム内フォルダであれば、ステップＳ２７６の「アルバム内フォルダ表示処理」を実行し、アルバム内容量であれば、ステップＳ２７７の「アルバム内容量表示処理」を実行し、アルバム内ＳＨＱ枚数であれば、ステップＳ２７８の「アルバム内ＳＨＱ枚数表示処理」を実行し、アルバム内ＨＱ枚数であれば、ステップＳ２７９の「アルバム内ＨＱ枚数表示処理」を実行し、アルバム内ＳＱ枚数であれば、ステップＳ２８０の「アルバム内ＳＱ枚数表示処理」を実行し、アルバム内画像品質であれば、ステップＳ２８１の「アルバム内画像品質表示処理」を実行し、アルバム内全情報であれば、ステップＳ２８２の「アルバム内全情報表示処理」を実行する。なお、これらの各処理については、図２１、図２４、図２７、図３０、図３２、図３３、図３４、図３６のフローチャート等を用いて後述する。
【０１３８】
そして、ステップＳ２８３において、例えば、「アルバム内枚数１」のような全アルバムについてアルバム情報を表示するモードであるか否かを判定する。
ステップＳ２８３で判定結果がＹｅｓであれば、ステップＳ２８４において、各アルバム番号を、対応するアルバム情報の横に表示する。
【０１３９】
図２１は、図２０のステップＳ２７２で実行される「アルバム内枚数表示処理」の流れを示すフローチャートである。
まず、ステップＳ２９１において、各々のアルバムの番号をアルバムリスト１７から取得し（変数Ｘに代入しておく）、ステップＳ２９２において、各々のアルバムのアルバムリスト１７内に登録されている画像数を取得し（変数Ａに代入しておく）、ステップＳ２９３において、各々のアルバムの最大登録枚数を取得する（変数Ｂに代入しておく）。
【０１４０】
そして、ステップＳ２９４において、「Ｘ」および「Ａ／Ｂ」をアルバム情報として取得し、ステップＳ２９５において、アルバム情報表記部の所定の位置に、取得した各々のアルバム情報を表示する。
図２２は、一覧表示とともに全アルバムについてアルバム情報を表示するモードで登録画像数を表示している表示例を示す図である。
【０１４１】
図２２の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、各アルバム（全１２アルバム）について登録されている画像数を示す数字（１００、１５、４１、２３等）と最大登録枚数を示す例として「１００」という数字が「１５／１００」のように表示されている。また、右側上方のアルバム情報表示内容表示部には、全アルバムについてアルバム情報を表示するモードを示す「アルバム内枚数１」が表示されている。
【０１４２】
図２３は、一覧表示とともに一部のアルバムについてアルバム情報を表示するモードで登録画像数を表示している表示例を示す図である。
図２３の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、一部のアルバム（アルバム１乃至アルバム４）について登録されている画像数を示す数字（１００、１５、４１、２３）と最大登録枚数を示す例として「１００」という数字が「１５／１００」のように表示されている。また、右側上方のアルバム情報表示内容表示部には、一部のアルバムについてアルバム情報を表示するモードを示す「アルバム内枚数２」が表示されている。
【０１４３】
図２４は、図２０のステップＳ２７３で実行される「アルバム内残り枚数表示処理」の流れを示すフローチャートである。
まず、ステップＳ３０１において、各々のアルバムの番号をアルバムリスト１７から取得し（変数Ｘに代入しておく）、ステップＳ３０２において、各々のアルバムのアルバムリスト１７内に登録されている画像数を取得し（変数Ａに代入しておく）、ステップＳ３０３において、各々のアルバムの最大登録枚数を取得する（変数Ｂに代入しておく）。
【０１４４】
そして、ステップＳ３０４において、選択された表紙画像に対応するアルバムにあと何枚画像を登録することができるのかを示す残り登録可能枚数を変数Ｃとして、最大登録枚数から現在登録されている画像数を減算した値（Ｂ−Ａの値）を代入する。
次に、ステップＳ３０４でＣに代入された値が０か否かを判定し、０でなければ（判定結果がＮｏのとき）、ステップＳ３０６において、「アルバムＸ」「登録可」「Ｃ」をアルバム情報として取得する。一方、Ｃの値が０であれば（判定結果がＹｅｓのとき）、ステップＳ３０７において、「アルバムＸ」「登録不可」「Ｃ」をアルバム情報として取得する。
【０１４５】
そして、ステップＳ３０８において、アルバム情報表記部の所定の位置に、ステップＳ３０６またはステップＳ３０７で取得した各々のアルバム情報を表示する。
次に、ステップＳ３０９において、Ｃ／Ｂの値が０であるのか例えば０．２以下の正の値であるか０．２より大きい値であるのかを判定する。すなわち、Ｃ／Ｂが０であるとはＣが０であることでありそのアルバムにはこれ以上画像を登録できないことを意味し、０．２以下の正の値であるとはアルバムの空きが２０％以下であることを意味し、０．２より大きい値であるとはアルバムの空きが２０％より多いことを意味する。
【０１４６】
そして、Ｃ／Ｂの値が０であれば、ステップＳ３１０において、登録不可であることを強調するため、アルバム情報表記部の所定の位置を赤で表示し、Ｃ／Ｂの値が０．２以下の正の値であれば、ステップＳ３１１において、登録可能枚数が残り少ないことを強調するため、アルバム情報表記部の所定の位置を黄色で表示し、Ｃ／Ｂの値が０．２より大きい値であれば、ステップＳ３１２において、登録可能でかつ残り枚数にも余裕があることを強調するため、アルバム情報表記部の所定の位置を青で表示する。
【０１４７】
図２５は、一覧表示とともに全アルバムについてアルバム情報を表示するモードで残り枚数を表示している表示例を示す図である。
図２５の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、各アルバム（全１２アルバム）についてあと何枚登録することができるのかを示す数字が表示されている。また、右側上方のアルバム情報表示内容表示部には、全アルバムについてアルバム情報を表示するモードを示す「アルバム内残り枚数１」が表示されている。
【０１４８】
図２６は、一覧表示とともに一部のアルバムについてアルバム情報を表示するモードで残り枚数を表示している表示例を示す図である。
図２６の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、一部のアルバム（アルバム１乃至アルバム４）についてあと何枚登録することができるのかを示す数字が表示されている。また、右側上方のアルバム情報表示内容表示部には、一部のアルバムについてアルバム情報を表示するモードを示す「アルバム内残り枚数２」が表示されている。
【０１４９】
図２７は、図２０のステップＳ２７４で実行される「アルバム内作成日表示処理」の流れを示すフローチャートである。
まず、ステップＳ３２１において、各々のアルバムの番号をアルバムリスト１７から取得し（変数Ｘに代入しておく）、ステップＳ３２２において、アルバムリスト１７内に登録されている各々のアルバム作成日時を取得する。
【０１５０】
そして、ステップＳ３２３において、「Ｘ」および「アルバム作成日時」をアルバム情報として取得し、ステップＳ３２４において、アルバム情報表記部の所定の位置に、取得した各々のアルバム情報を表示する。
図２８は、一覧表示とともに全アルバムについてアルバム情報を表示するモードでアルバム作成日を表示している表示例を示す図である。
【０１５１】
図２８の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、各アルバム（全１２アルバム）について登録されているアルバム作成日を示す数字（２００１／４／２１、２００３／１０／２２等）が表示されている。また、右側上方のアルバム情報表示内容表示部には、全アルバムについてアルバム情報を表示するモードを示す「アルバム作成日１」が表示されている。
【０１５２】
図２９は、一覧表示とともに一部のアルバムについてアルバム情報を表示するモードでアルバム作成日を表示している表示例を示す図である。
図２９の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、一部のアルバム（アルバム１乃至アルバム４）について登録されている画像数を示す数字（２００１／４／２１、２００３／１０／２２等）が表示されている。また、右側上方のアルバム情報表示内容表示部には、一部のアルバムについてアルバム情報を表示するモードを示す「アルバム作成日２」が表示されている。
【０１５３】
図３０は、図２０のステップＳ２７５で実行される「アルバム内撮影期間表示処理」の流れを示すフローチャートである。
まず、ステップＳ３３１において、各々のアルバムの番号をアルバムリスト１７から取得し（変数Ｘに代入しておく）、ステップＳ３３２において、アルバムリスト１７内に登録されている各々のアルバム内の画像で最も古い画像の作成日時を取得し、ステップＳ３３３において、アルバムリスト１７内に登録されている各々のアルバム内の画像で最も新しい画像の作成日時を取得する。
【０１５４】
そして、ステップＳ３３４において、「Ｘ」、「最も古い日時」および「最も新しい日時」をアルバム情報として取得し、ステップＳ３３５において、アルバム情報表記部の所定の位置に、取得した各々のアルバム情報を表示する。なお、ここで、「最も古い日時」から「最も新しい日時」までの期間がアルバム内の画像の撮影期間となる。
【０１５５】
一覧表示とともに全アルバムについてアルバム情報を表示するモードでアルバム内撮影期間を表示している表示例は、アルバム情報表記部の表記が図３１の（ａ）に示す「２００３／１０／２２〜２００３／１０／２５」のようになっている点の除き、図２２、図２５、図２８と同様であるので省略する。また、一覧表示とともに一部のアルバムについてアルバム情報を表示するモードでアルバム内撮影期間を表示している表示例は、アルバム情報表記部の表記が図３１の（ｂ）に示すようになっている点の除き、図２２、図２５、図２８と同様であるので省略する。
【０１５６】
図３２は、図２０のステップＳ２７６で実行される「アルバム内フォルダ表示処理」の流れを示すフローチャートである。
まず、ステップＳ３４１において、各々のアルバムの番号をアルバムリスト１７から取得し（変数Ｘに代入しておく）、ステップＳ３４２において、アルバムリスト１７内に登録されている各々のアルバム内の画像が格納されているフォルダ名を全て取得する。
【０１５７】
そして、ステップＳ３４３において、「Ｘ」およびそれぞれの「フォルダ名」を、アルバム情報として取得し、ステップＳ３４４において、アルバム情報表記部の所定の位置に、取得した各々のアルバム情報を表示する。
図３３は、図２０のステップＳ２７７で実行される「アルバム内容量表示処理」の流れを示すフローチャートである。
【０１５８】
まず、ステップＳ３５１において、各々のアルバムの番号をアルバムリスト１７から取得し（変数Ｘに代入しておく）、ステップＳ３５２において、アルバムリスト１７内に登録されている各々のアルバムについて、登録されている画像のアルバムごとの合計容量を取得する。
【０１５９】
そして、ステップＳ３５３において、「Ｘ」およびそれぞれの「合計容量」を、アルバム情報として取得し、ステップＳ３５４において、アルバム情報表記部の所定の位置に、取得した各々のアルバム情報を表示する。
図３４は、図２０のステップＳ２７８で実行される「アルバム内ＳＨＱ枚数表示処理」の流れを示すフローチャートである。
【０１６０】
まず、ステップＳ３６１において、各々のアルバムの番号をアルバムリスト１７から取得し（変数Ｘに代入しておく）、ステップＳ３６２において、各々のアルバムのアルバムリスト１７内に登録されている画像数を取得し（変数Ａに代入しておく）、ステップＳ３６３において、各々のアルバム内の各画像のヘッダ部から画像品質を取得する。
【０１６１】
さらに、ステップＳ３６４において、アルバム内でＳＨＱ品質の画像枚数をアルバムリスト１７から取得する（変数Ｙに代入しておく）。
そして、ステップＳ３６５において、「Ｘ」および「Ｙ／Ａ」をアルバム情報として取得し、ステップＳ３６６において、アルバム情報表記部の所定の位置に、取得した各々のアルバム情報を表示する。
【０１６２】
なお、図２０のステップＳ２７９で実行される「アルバム内ＨＱ枚数表示処理」のフローチャートは、図３６４で「ＳＨＱ品質の画像枚数をアルバムリスト１７から取得する」処理の代わりに「ＨＱ品質の画像枚数をアルバムリスト１７から取得する」処理が行われるだけであるので、フローチャートによる図示および説明は省略する。同様に、図２０のステップＳ２８０で実行される「アルバム内ＳＱ枚数表示処理」のフローチャートは、図３６４で「ＳＨＱ品質の画像枚数をアルバムリスト１７から取得する」処理の代わりに「ＳＱ品質の画像枚数をアルバムリスト１７から取得する」処理が行われるだけであるので、フローチャートによる図示および説明は省略する。
【０１６３】
図３５は、一覧表示とともに全アルバムについてアルバム情報を表示するモードでアルバム内ＳＨＱ枚数を表示している表示例を示す図である。
図３５の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、各アルバム（全１２アルバム）について登録されているアルバム内ＳＨＱ枚数（８４、７、１５、５等）と各アルバムについて登録されている画像数を示す数字（１００、１５、４１、２３等）が「７／１５」のように表示されている。また、右側上方のアルバム情報表示内容表示部には、全アルバムについてアルバム情報を表示するモードを示す「アルバム内ＳＨＱ枚数」が表示されている。
【０１６４】
図３６は、図２０のステップＳ２８１で実行される「アルバム内画像品質表示処理」の流れを示すフローチャートである。
ここで、「アルバム内画像品質表示処理」は、「アルバム内ＳＨＱ枚数表示処理」「アルバム内ＨＱ枚数表示処理」および「アルバム内ＳＱ枚数表示処理」を全て実行した処理と同様の処理である。
【０１６５】
まず、ステップＳ３７１において、各々のアルバムの番号をアルバムリスト１７から取得し（変数Ｘに代入しておく）、ステップＳ３７２において、各々のアルバムのアルバムリスト１７内に登録されている画像数を取得し（変数Ａに代入しておく）、ステップＳ３７３において、各々のアルバム内の各画像のヘッダ部から画像品質を取得する。
【０１６６】
さらに、ステップＳ３７４において、アルバム内でＳＨＱ品質の画像枚数をアルバムリスト１７から取得し（変数Ｕに代入しておく）、ステップＳ３７５において、アルバム内でＨＱ品質の画像枚数をアルバムリスト１７から取得し（変数Ｖに代入しておく）、ステップＳ３７６において、アルバム内でＳＱ品質の画像枚数をアルバムリスト１７から取得する（変数Ｗに代入しておく）。
【０１６７】
そして、ステップＳ３７６において、「Ｘ」、「ＳＨＱ：Ｕ枚」、「ＨＱ：Ｖ枚」および「ＳＱ：Ｗ枚」をアルバム情報として取得し、ステップＳ３７７において、アルバム情報表記部の所定の位置に、取得した各々のアルバム情報を表示する。なお、アルバム内画像品質を表示している表示例は、アルバム情報表記部の表記が図３１の（ｃ）に示すようになっている。
【０１６８】
また、図２０のステップＳ２８２で実行される「アルバム内全情報表示処理」は、図２１に示した「アルバム内枚数表示処理」、図２４に示した「アルバム内残り枚数表示処理」、図２７に示した「アルバム内作成日表示処理」、図３０に示した「アルバム内撮影期間表示処理」、図３２に示した「アルバム内フォルダ表示処理」、図３３に示した「アルバム内容量表示処理」、図３４に示した「アルバム内ＳＨＱ枚数表示処理」、不図示の「アルバム内ＨＱ枚数表示処理」、不図示の「アルバム内ＳＱ枚数表示処理」を全て実行した処理と同様であるので、フローチャートによる図示および説明は省略する。
【０１６９】
図３７は、一覧表示とともに一部のアルバムについてアルバム情報を表示するモードでアルバム内全情報を表示している表示例を示す図である。
図３７の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、一部のアルバム（アルバム１乃至アルバム４）について登録されている画像数、撮影期間、保存フォルダ等を示す数字が表示されている。また、右側上方のアルバム情報表示内容表示部には、一部のアルバムについてアルバム情報を表示するモードを示す「アルバム内全情報」が表示されている。
【０１７０】
図３８は、アルバム情報をソートして表示した表示例を示す図である。
図３８の表示例は、図２２に示した表示例の状態から、ソート結果に従った順番で、アルバム情報表記部内の所定の位置に、各々のアルバム情報（登録画像数）を昇順に表示した例である（図１７のステップＳ２５４）。
【０１７１】
図３９および図４０は、複数のアルバムの表紙画像を一覧表示させた際に、各アルバムに登録されている画像数および選択されたアルバムのアルバム作成日をも表示する処理の流れを示すフローチャートである。
図３９および図４０に示したフローチャートにおいて、ステップＳ２２１乃至ステップＳ２２５、ステップＳ２２８乃至ステップＳ２３３までのステップは、図１５を用いて説明したアルバム再生処理の各ステップと同様であるので説明を省略し、本変形例で新たに加わるステップＳ３８１乃至ステップＳ３９４のステップを中心に説明する。
【０１７２】
まず、図１５を用いて説明したステップＳ２２５で、前ステップ（ステップＳ２２４）の処理によって取得された画像データファイル１４−ｎで各々表されている表紙画像を表示部２８に表示させる処理が行われた後、ステップＳ３８１において、アルバムリスト１７内に登録されている各々のアルバムの番号を取得する（変数Ｘに代入しておく）。さらに、ステップステップＳ３８２において、アルバムリスト１７内に登録されている各々のアルバム画像数を取得する（変数Ａに代入しておく）とともに、ステップＳ３８３において、各々のアルバムに登録することが可能な画像の枚数である最大登録枚数を取得する（変数Ｂに代入しておく）。ここでは全アルバムに渡って予め定められている値として１００枚とする。すなわち、Ｂ＝１００である。
【０１７３】
図４０に移り、ステップＳ３８４において、アルバムリスト１７内に登録されている各々のアルバム作成日時を取得する。
そして、ステップＳ３８５において、選択されたアルバムのアルバム番号近辺のいくつかのアルバムについて、「アルバムＸ」「Ａ／Ｂ」という表記で所定の位置に表示し、さらにステップＳ３８６において、選択されたアルバムについて、選択されたアルバムそばの所定の位置にアルバム作成日時を表示する。
【０１７４】
続いて、ステップＳ３８７において、選択されたアルバムに相当する「アルバムＸ」「Ａ／Ｂ」表記の部分と、アルバム作成日時表示部分を、選択中であることを示すため、色を変える。
次に、ステップＳ３８８において、一覧表示されている画像のうちの１つが選択されているか否かを判定し、判定結果がＹｅｓであれば、ステップＳ３８９において、ユーザによる操作入力部３２に対する操作によって、表示部２８に一覧表示されている表紙画像のうちの１つを選択する指示がなされたか否かを判定する処理が行われ、他のアルバム表示の指示がなければ（判定結果がＮｏであれば）、ステップＳ３９３へ処理を進める。
【０１７５】
ステップＳ３８９で判定結果がＹｅｓとなったら、ステップＳ３９０において、そのアルバム番号を中心として、その近辺のアルバム番号について「アルバムＸ」「Ａ／Ｂ」という表記で所定の位置に表示するとともに、ステップＳ３９１において、選択されたアルバムについて、選択されたアルバムそばの所定の位置にアルバム作成日時を表示する。
【０１７６】
次に、ステップＳ３９２において、選択されたアルバムに相当する「アルバムＸ」「Ａ／Ｂ」表記の部分と、アルバム作成日時表示部分を、選択中であることを示すため、色を変える。
そして、ステップＳ３９３において、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了する。一方、この決定指示がなされていないとき（判定結果がＮｏのとき）は、ステップＳ３８８へ処理を戻して上述した処理を繰り返す。
【０１７７】
図４１は、一覧表示とともに各アルバムに登録されている画像数および選択されたアルバムのアルバム作成日を表示している表示例を示す図である。
図４１の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、選択されたアルバムおよびその前後のアルバムのアルバム番号（アルバム１乃至３）および登録されている画像数を示す数字（１００、１５、４１、２３等）と最大登録枚数を示す例として「１００」という数字が「１５／１００」のように表示され、さらに選択されたアルバム（アルバム２）のアルバム作成日（２００３．１０．２２）が表示されている。
【０１７８】
図４２は、複数のアルバムの表紙画像を一覧表示させた際に、各アルバムに登録されている画像数および選択されたアルバムのアルバム撮影期間をも表示する処理の流れを示すフローチャートである。
ステップＳ４０１の前までのステップは、図３９に示したステップＳ２２１乃至ステップＳ２２５、およびステップＳ３８１乃至ステップＳ３８３と同様であるので省略する。
【０１７９】
ステップＳ３８３（図３９参照）に続いて、ステップＳ４０１において、アルバムリスト１７内に登録されている各々のアルバム内の画像で最も古い画像の作成日時を取得し、ステップＳ４０２において、アルバムリスト１７内に登録されている各々のアルバム内の画像で最も新しい画像の作成日時を取得する。
【０１８０】
そして、ステップＳ４０３において、選択されたアルバムのアルバム番号近辺のいくつかのアルバムについて、「アルバムＸ」「Ａ／Ｂ」という表記で所定の位置に表示し、さらにステップＳ４０４において、選択されたアルバムについて、選択されたアルバムそばの所定の位置に、「最も古い日時」から「最も新しい日時」までの期間をアルバム内の画像の撮影期間として表示する。
【０１８１】
続いて、ステップＳ４０５において、選択されたアルバムに相当する「アルバムＸ」「Ａ／Ｂ」表記の部分と、アルバム撮影期間表示部分を、選択中であることを示すため、色を変える。
次に、ステップＳ４０６において、一覧表示されている画像のうちの１つが選択されているか否かを判定し、判定結果がＹｅｓであれば、ステップＳ４０７において、ユーザによる操作入力部３２に対する操作によって、表示部２８に一覧表示されている表紙画像のうちの１つを選択する指示がなされたか否かを判定する処理が行われ、他のアルバム表示の指示がなければ（判定結果がＮｏであれば）、ステップＳ４１１へ処理を進める。
【０１８２】
ステップＳ４０７で判定結果がＹｅｓとなったら、ステップＳ４０８において、そのアルバム番号を中心として、その近辺のアルバム番号について「アルバムＸ」「Ａ／Ｂ」という表記で所定の位置に表示するとともに、ステップＳ４０９において、選択されたアルバムについて、選択されたアルバムそばの所定の位置に、「最も古い日時」から「最も新しい日時」までの期間をアルバム内の画像の撮影期間として表示する。
【０１８３】
次に、ステップＳ４１０において、選択されたアルバムに相当する「アルバムＸ」「Ａ／Ｂ」表記の部分と、アルバム撮影期間表示部分を、選択中であることを示すため、色を変える。
そして、ステップＳ４１１において、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了する。一方、この決定指示がなされていないとき（判定結果がＮｏのとき）は、ステップＳ４０６へ処理を戻して上述した処理を繰り返す。
【０１８４】
図４３は、一覧表示とともに各アルバムに登録されている画像数および選択されたアルバムのアルバム撮影期間を表示している表示例を示す図である。
図４３の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、選択されたアルバムおよびその前後のアルバムのアルバム番号（アルバム１乃至３）および登録されている画像数を示す数字（１００、１５、４１、２３等）と最大登録枚数を示す例として「１００」という数字が「１５／１００」のように表示され、さらに選択されたアルバム（アルバム２）のアルバムの撮影期間（２００３．１０．２２〜２００３．１０．２５）が表示されている。
【０１８５】
図４４は、複数のアルバムの表紙画像を一覧表示させた際に、選択されたアルバムのアルバム情報を表示する処理の流れを示すフローチャートである。
ステップＳ４２１の前までのステップは、図３９に示したステップＳ２２１乃至ステップＳ２２５、およびステップＳ３８１乃至ステップＳ３８３と同様であるので省略する。
【０１８６】
ステップＳ３８３（図３９参照）に続いて、アルバムリスト１７内に登録されている各々のアルバム内の画像で最も古い画像の作成日時を取得し（ステップＳ４２１）、各々のアルバム内の画像で最も新しい画像の作成日時を取得し（ステップＳ４２２）、各々のアルバム内の画像が格納されているフォルダ名を全て取得し（ステップＳ４２３）、各々のアルバムについて、登録されている画像のアルバムごとの合計容量を取得し（ステップＳ４２４）、各々のアルバム内の各画像のヘッダ部から画像品質を取得する（ステップＳ４２５）。
【０１８７】
そして、ステップＳ４２６において、選択されたアルバムのアルバム番号近辺のいくつかのアルバムについて、「アルバムＸ」という表記で所定の位置に表示し、さらにステップＳ４２７において、選択されたアルバムについて、選択されたアルバムそばの所定の位置に、「アルバムＸ」「Ａ／Ｂ」という表記、最も古い日時と最も新しい日時、フォルダ名を列挙したもの、合計容量、品質を列挙したものを所定の位置に表示する。
【０１８８】
続いて、ステップＳ４２８において、選択されたアルバムに相当する「アルバムＸ」「Ａ／Ｂ」という表記、最も古い日時と最も新しい日時、フォルダ名を列挙したもの、合計容量、品質を列挙したものを、選択中であることを示すため、色を変える。
次に、ステップＳ４２９において、一覧表示されている画像のうちの１つが選択されているか否かを判定し、判定結果がＹｅｓであれば、ステップＳ４３０において、ユーザによる操作入力部３２に対する操作によって、表示部２８に一覧表示されている表紙画像のうちの１つを選択する指示がなされたか否かを判定する処理が行われ、他のアルバム表示の指示がなければ（判定結果がＮｏであれば）、ステップＳ４３４へ処理を進める。
【０１８９】
ステップＳ４３０で判定結果がＹｅｓとなったら、ステップＳ４３１において、そのアルバム番号を中心として、その近辺のアルバム番号について「アルバムＸ」という表記で所定の位置に表示するとともに、ステップＳ４３２において、選択されたアルバムについて、選択されたアルバムそばの所定の位置に、「アルバムＸ」「Ａ／Ｂ」という表記、最も古い日時と最も新しい日時、フォルダ名を列挙したもの、合計容量、品質を列挙したものを表示する。
【０１９０】
次に、ステップＳ４３３において、選択されたアルバムに相当する「アルバムＸ」「Ａ／Ｂ」という表記、最も古い日時と最も新しい日時、フォルダ名を列挙したもの、合計容量、品質を列挙したものの部分を、選択中であることを示すため、色を変える。
そして、ステップＳ４３４において、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了する。一方、この決定指示がなされていないとき（判定結果がＮｏのとき）は、ステップＳ４２９へ処理を戻して上述した処理を繰り返す。
【０１９１】
図４５は、一覧表示とともにアルバムのアルバム情報を表示している表示例を示す図である。
図４５の左側およそ３分の２の領域には、図１４（ｂ）の例示と同様に複数のアルバム（全１２アルバム）の表紙画像が一覧表示（インデックス表示）され、右側のおよそ３分の１の領域（アルバム情報表記部）には、選択されたアルバムおよびその前後のアルバムのアルバム番号（アルバム１乃至３）が表示され、さらに選択されたアルバム（アルバム２）の「アルバムＸ」「Ａ／Ｂ」という表記、最も古い日時と最も新しい日時、フォルダ名、合計容量、品質を列挙したものが表示されている。
【０１９２】
図４６は、特定のアルバムに登録されている画像を表示させた際に、全アルバムに登録されている画像数をも表示する処理の流れを示すフローチャートである。
まず、ステップＳ４３７において、各アルバムについてアルバムリスト１７を参照する処理が行われる。
【０１９３】
そして、ステップＳ４３８において、アルバムリスト１７内に登録されている各々のアルバムの番号を取得する（変数Ｘに代入しておく）。さらに、ステップステップＳ４３９において、アルバムリスト１７内に登録されている各々のアルバム画像数を取得する（変数Ａに代入しておく）とともに、ステップＳ４４０において、各々のアルバムに登録することが可能な画像の枚数である最大登録枚数を取得する（変数Ｂに代入しておく）。ここでは全アルバムに渡って予め定められている値として１００枚とする。すなわち、Ｂ＝１００である。
【０１９４】
次に、ステップＳ４４１において、選択されたアルバムについてのリストを参照する処理が行われる。
ステップＳ４４２において、ユーザによる操作入力部３２に対する操作によってなされる、表示部２８への画像の表示方法についての指示の内容がどのようなものであるかを判定する処理が行われる。ここで、当該指示の内容が、複数の画像を一覧表示（インデックス表示）させる指示であればステップＳ４４３に処理を進める。
【０１９５】
そして、ステップＳ４４３において、前述した選択されたリストに示されているファイル名を順次取得する処理が行われ、続くステップＳ４４４では、この取得されたファイル名である画像データファイル１４−ｎを、メモリカード１１の画像ルートフォルダ１２内から各々探し出して取得する処理が行われる。
【０１９６】
ステップＳ４４５において、「Ａ／Ｂ」という表記で所定の位置に表示し、アルバム番号Ｘをその横に表示したまま、取得したファイルで各々表されている画像を一覧表示させる処理が行われる。
そして、ステップＳ４４６において、前後の画像の表示の指示を取得したか否かが判定され、判定結果がＹｅｓであれば、ステップＳ４４７において、選択中であることを示す枠を指示に従い移動して、ステップＳ４４６へ処理を戻す。一方、ステップＳ４４６での判定結果がＮｏであれば、ステップＳ４４８において、再生終了の指示を取得したか否かを判定する処理が行われ、この決定指示がなされたとき（判定結果がＹｅｓとなったとき）は、この対象画像特定処理を終了し、この決定指示がなされていないとき（判定結果がＮｏのとき）は、ステップＳ４４６へ処理を戻して上述した処理を繰り返す。
【０１９７】
ステップＳ４４２での指示の内容が、画像を１枚ずつ表示（１コマ表示）させる指示であれば、ステップＳ４５０において、選択されたリストに示されているファイル名の並びのうちの先頭のものを取得する処理が行われる。
ステップＳ４５１において、直前に実行された処理によって取得されたファイル名である画像データファイル１４−ｎを、メモリカード１１の画像ルートフォルダ１２内から探し出して取得する処理が行われる。
【０１９８】
そして、ステップＳ４５２において、「Ａ／Ｂ」という表記で所定の位置に表示し、アルバム番号Ｘをその横に表示したまま、取得したファイルで表されている画像を表示させる処理が行われる。
ステップＳ４５３では、ユーザによる操作入力部３２に対する操作によって、前述した選択されたリストにおいて表示部１８に表示中の画像を表している画像データファイルのファイル名の前後の順番であるファイル名の画像を選択する指示を取得したか否かを判定する処理が行われ、この指示を取得したとき（判定結果がＹｅｓとなったとき）は、ステップＳ４５４において、選択されているリストにおいて当該指示に係る順番のファイル名を取得する処理が行われ、その後はステップＳ４５１へ処理を戻して上述した処理を繰り返す。
【０１９９】
一方、ステップＳ４５３においてそのような指示を取得していない（判定結果がＮｏのとき）は、ステップＳ４５５において、ユーザによる操作入力部３２に対する操作によって、表示部１８に表示中の画像を選択することを決定させる指示を取得したか否かを判定する処理が行われる。ここで、この決定指示がなされたとき（判定結果がＹｅｓとなったとき）は、ステップＳ４４９の処理へ進み、この決定指示がなされていないとき（判定結果がＮｏのとき）はステップＳ４５３へ処理を戻して上述した処理を繰り返す。
【０２００】
図４７は、特定のアルバムに登録されている画像の一覧表示とともに全アルバムに登録されている画像数を表示している表示例を示す図である。
図４７の左側およそ３分の２の領域には、選択されたアルバムに登録されている画像が一覧表示（インデックス表示）され、右側のおよそ３分の１の領域（アルバム情報表記部）には、選択されたアルバムを含む各アルバム（全１２アルバム）について登録されている画像数を示す数字（１００、１５、４１、２３等）と最大登録枚数を示す例として「１００」という数字が「１５／１００」のように表示されている。
【０２０１】
図４８は、特定のアルバムに登録されている画像の１つを表示するとともに全アルバムに登録されている画像数を表示している表示例を示す図である。
図４８の左側およそ３分の２の領域には、選択されたアルバムに登録されている画像の１つが1コマ表示され、右側のおよそ３分の１の領域（アルバム情報表記部）には、選択されたアルバムを含む各アルバム（全１２アルバム）について登録されている画像数を示す数字（１００、１５、４１、２３等）と最大登録枚数を示す例として「１００」という数字が「１５／１００」のように表示されている。
【０２０２】
以上、本発明の実施の形態を説明してきたが、本発明が適用されるデジタルカメラ、アルバム管理方法、およびアルバム管理プログラムは、その機能が実行されるのであれば、上述の実施の形態に限定されることはなく、本発明の要旨を逸脱しない範囲内で種々の構成または形状を取ることができる。
【図面の簡単な説明】
【０２０３】
【図１】アルバム機能の実施例の概要を説明するための図である。
【図２】図１に示したカメラ及びＰＣのハードウェア構成を示す図である。
【図３】撮影画像取得処理の処理内容を示すフローチャートである。
【図４】アルバム操作処理の処理内容を示すフローチャート（その１）である。
【図５】アルバム操作処理の処理内容を示すフローチャート（その２）である。
【図６】アルバム操作画面の画面例を示す図である。
【図７】表紙画像作成処理の処理内容を示すフローチャートである。
【図８】表紙画像作成画面の画面例を示す図である。
【図９】タイトル合成処理の処理内容を示すフローチャートである。
【図１０】タイトル入力画面の画面例を示す図である。
【図１１】アルバム転送処理の処理内容を示すフローチャートである。
【図１２】アルバム受信処理の処理内容を示すフローチャートである。
【図１３】アルバム再生処理の処理内容を示すフローチャートである。
【図１４】カメラでの表示画面例を示す図である。
【図１５】アルバム選択処理の処理内容を示すフローチャートである。
【図１６】複数のアルバムの表紙画像を一覧表示させた際に、アルバムに登録されている画像数とさらに登録することが可能な画像数とを切り替えて表示する処理の流れを示すフローチャート（その１）である。
【図１７】複数のアルバムの表紙画像を一覧表示させた際に、アルバムに登録されている画像数とさらに登録することが可能な画像数とを切り替えて表示する処理の流れを示すフローチャート（その２）である。
【図１８】図１７のステップ２５１で実行される「アルバム情報表示内容切り替え処理」の流れを示すフローチャートである。
【図１９】アルバム情報の表示内容の切り替わりの例を示す図である。
【図２０】図１８のステップＳ２６２で実行される「各々のアルバムの情報取得・表示処理」の流れを示すフローチャートである。
【図２１】図２０のステップＳ２７２で実行される「アルバム内枚数表示処理」の流れを示すフローチャートである。
【図２２】一覧表示とともに全アルバムについてアルバム情報を表示するモードで登録画像数を表示している表示例を示す図である。
【図２３】一覧表示とともに一部のアルバムについてアルバム情報を表示するモードで登録画像数を表示している表示例を示す図である。
【図２４】図２０のステップＳ２７３で実行される「アルバム内残り枚数表示処理」の流れを示すフローチャートである。
【図２５】一覧表示とともに全アルバムについてアルバム情報を表示するモードで残り枚数を表示している表示例を示す図である。
【図２６】一覧表示とともに一部のアルバムについてアルバム情報を表示するモードで残り枚数を表示している表示例を示す図である。
【図２７】図２０のステップＳ２７４で実行される「アルバム内作成日表示処理」の流れを示すフローチャートである。
【図２８】一覧表示とともに全アルバムについてアルバム情報を表示するモードでアルバム作成日を表示している表示例を示す図である。
【図２９】一覧表示とともに一部のアルバムについてアルバム情報を表示するモードでアルバム作成日を表示している表示例を示す図である。
【図３０】図２０のステップＳ２７５で実行される「アルバム内撮影期間表示処理」の流れを示すフローチャートである。
【図３１】アルバム情報表記部の表記例を説明するための図である。
【図３２】図２０のステップＳ２７６で実行される「アルバム内フォルダ表示処理」の流れを示すフローチャートである。
【図３３】図２０のステップＳ２７７で実行される「アルバム内容量表示処理」の流れを示すフローチャートである。
【図３４】図２０のステップＳ２７８で実行される「アルバム内ＳＨＱ枚数表示処理」の流れを示すフローチャートである。
【図３５】一覧表示とともに全アルバムについてアルバム情報を表示するモードでアルバム内ＳＨＱ枚数を表示している表示例を示す図である。
【図３６】図２０のステップＳ２８１で実行される「アルバム内画像品質表示処理」の流れを示すフローチャートである。
【図３７】一覧表示とともに一部のアルバムについてアルバム情報を表示するモードでアルバム内全情報を表示している表示例を示す図である。
【図３８】アルバム情報をソートして表示した表示例を示す図である。
【図３９】複数のアルバムの表紙画像を一覧表示させた際に、各アルバムに登録されている画像数および選択されたアルバムのアルバム作成日をも表示する処理の流れを示すフローチャート（その１）である。
【図４０】複数のアルバムの表紙画像を一覧表示させた際に、各アルバムに登録されている画像数および選択されたアルバムのアルバム作成日をも表示する処理の流れを示すフローチャート（その２）である。
【図４１】一覧表示とともに各アルバムに登録されている画像数および選択されたアルバムのアルバム作成日を表示している表示例を示す図である。
【図４２】複数のアルバムの表紙画像を一覧表示させた際に、各アルバムに登録されている画像数および選択されたアルバムのアルバム撮影期間をも表示する処理の流れを示すフローチャートである。
【図４３】一覧表示とともに各アルバムに登録されている画像数および選択されたアルバムのアルバム撮影期間を表示している表示例を示す図である。
【図４４】複数のアルバムの表紙画像を一覧表示させた際に、選択されたアルバムのアルバム情報を表示する処理の流れを示すフローチャートである。
【図４５】一覧表示とともにアルバムのアルバム情報を表示している表示例を示す図である。
【図４６】特定のアルバムに登録されている画像を表示させた際に、全アルバムに登録されている画像数をも表示する処理の流れを示すフローチャートである。
【図４７】特定のアルバムに登録されている画像の一覧表示とともに全アルバムに登録されている画像数を表示している表示例を示す図である。
【図４８】特定のアルバムに登録されている画像の１つを表示するとともに全アルバムに登録されている画像数を表示している表示例を示す図である。
【図４９】アルバム機能搭載カメラにおける画像データ管理の手法を説明する図である。
【符号の説明】
【０２０４】
１０    カメラ
１１    メモリカード
１２    画像ルートフォルダ
１３    画像格納フォルダ
１４−１、１４−２、１４−ｎ    画像データファイル
１５    アルバムリストファイル
１６    撮影リスト
１７    アルバムリスト
２１    レンズ
２２    撮像部
２３    撮像処理部
２４    画像処理部
２５    ＲＡＭ
２６    メモリＩ／Ｆ部
２７    表示処理部
２８    表示部
２９    ＵＳＢＩ／Ｆ
３０    ＣＰＵ
３１    ＲＯＭ
３２    操作入力部
３３    バス
４０    ＰＣ
４１    ＨＤＤ
４２    撮影画像フォルダ
４３−１、４３−２、４３−ｎ    撮影画像データファイル
５１    ＣＰＵ
５２    ＲＯＭ
５３    ＲＡＭ
５４    入力部
５５    データ読取装置
５６    表示部
５７    ＵＳＢＩ／Ｆ
５８    バス
６０    ＵＳＢバス
７１    撮影画像表示部
７２    アルバム画像表示部
７３    アルバム選択表示
７４    表紙画像表示部
７５    画像追加指示ボタン
７６    画像削除指示ボタン
７７    表紙画像選択指示ボタン
７８    タイトル入力指示ボタン
７９    アルバム転送指示ボタン
８０    アルバム表紙作成チェックボックス
８１    表紙候補画像表示部
８２    表紙画像表示部
８３    フォルダ設定部
８４    決定ボタン
８５    キャンセルボタン
８６    入力テキスト表示部
８７    決定ボタン
８８    キャンセルボタン
８９    文字スタイル設定部
【図１】
2005303453.tif 000003
【図２】
2005303453.tif 000004
【図３】
2005303453.tif 000005
【図４】
2005303453.tif 000006
【図５】
2005303453.tif 000007
【図６】
2005303453.tif 000008
【図７】
2005303453.tif 000009
【図８】
2005303453.tif 000010
【図９】
2005303453.tif 000011
【図１０】
2005303453.tif 000012
【図１１】
2005303453.tif 000013
【図１２】
2005303453.tif 000014
【図１３】
2005303453.tif 000015
【図１４】
2005303453.tif 000016
【図１５】
2005303453.tif 000017
【図１６】
2005303453.tif 000018
【図１７】
2005303453.tif 000019
【図１８】
2005303453.tif 000020
【図１９】
2005303453.tif 000021
【図２０】
2005303453.tif 000022
【図２１】
2005303453.tif 000023
【図２２】
2005303453.tif 000024
【図２３】
2005303453.tif 000025
【図２４】
2005303453.tif 000026
【図２５】
2005303453.tif 000027
【図２６】
2005303453.tif 000028
【図２７】
2005303453.tif 000029
【図２８】
2005303453.tif 000030
【図２９】
2005303453.tif 000031
【図３０】
2005303453.tif 000032
【図３１】
2005303453.tif 000033
【図３２】
2005303453.tif 000034
【図３３】
2005303453.tif 000035
【図３４】
2005303453.tif 000036
【図３５】
2005303453.tif 000037
【図３６】
2005303453.tif 000038
【図３７】
2005303453.tif 000039
【図３８】
2005303453.tif 000040
【図３９】
2005303453.tif 000041
【図４０】
2005303453.tif 000042
【図４１】
2005303453.tif 000043
【図４２】
2005303453.tif 000044
【図４３】
2005303453.tif 000045
【図４４】
2005303453.tif 000046
【図４５】
2005303453.tif 000047
【図４６】
2005303453.tif 000048
【図４７】
2005303453.tif 000049
【図４８】
2005303453.tif 000050
【図４９】
2005303453.tif 000051